(57)【要約】  アクセス端末のモビリティ状態に基づいて分数周波数再利用(FFR)が規定される。たとえば、アクセス端末が運動中である(または、セル縁部にある、またはモビリティのためにリンク状態の不良を被るなど)と判定すると、アクセス端末に関する許容可能なリンク品質を維持するためにアクセス端末にサービス中のアクセスポイントおよび/または隣接するアクセスポイントに関して、FFRが規定される場合がある。詳細には、FFRは、アクセス端末のためにリソースを解放するか、またはさもなければ確保するように規定され得る。たとえば、サービス中のアクセスポイントは、アクセス端末に追加のサブバンドを割り振り、かつ/またはアクセス端末に割り振られたサブバンドにおいて使用される電力レベルを増加させる場合がある。加えて、隣接するアクセスポイントは、これらのサブバンドを譲歩する場合がある。
2016536924.tif 000002
【特許請求の範囲】
【請求項１】
通信のための装置であって、
アクセス端末の少なくとも1つのモビリティ状態を判定するように構成され、前記判定された少なくとも1つのモビリティ状態に基づいて少なくとも1つのアクセスポイントに関する分数周波数再利用を規定するようにさらに構成された処理システムと、
前記規定された分数周波数再利用の指示を送出するように構成された通信デバイスと
を含む、装置。
【請求項２】
前記少なくとも1つのモビリティ状態の前記判定は、前記アクセス端末が運動中であるかどうかを判定することを含む、請求項1に記載の装置。
【請求項３】
前記分数周波数再利用の前記規定は、前記アクセス端末が運動しきい値を満たすか、または超えるように運動している場合、前記少なくとも1つのアクセスポイントに関する分数周波数再利用を起動するか、または変更することを含む、請求項2に記載の装置。
【請求項４】
前記分数周波数再利用の前記規定が、前記アクセス端末における干渉の低減をもたらす分数周波数再利用を識別することを含む、請求項1に記載の装置。
【請求項５】
前記少なくとも1つのモビリティ状態の前記判定は、前記アクセス端末がセル縁部に近いかどうかを判定することを含む、請求項1に記載の装置。
【請求項６】
前記分数周波数再利用の前記規定は、前記アクセス端末から前記セル縁部までの距離が距離しきい値であるか、または前記距離しきい値内である場合、前記少なくとも1つのアクセスポイントに関する分数周波数再利用を起動するか、または変更することを含む、請求項5に記載の装置。
【請求項７】
前記分数周波数再利用の前記規定は、前記アクセス端末によって測定される、前記少なくとも1つのアクセスポイントからの信号の信号強度が信号強度しきい値であるか、または前記信号強度しきい値内である場合、前記少なくとも1つのアクセスポイントに関する分数周波数再利用を起動するか、または変更することを含む、請求項1に記載の装置。
【請求項８】
前記少なくとも1つのモビリティ状態の前記判定が、前記アクセス端末に関連するリンクの品質を判定することを含む、請求項1に記載の装置。
【請求項９】
前記分数周波数再利用の前記規定は、前記リンクの前記品質が品質しきい値以下である場合、前記少なくとも1つのアクセスポイントに関する分数周波数再利用を起動するか、または変更することを含む、請求項8に記載の装置。
【請求項１０】
前記処理システムは、別のアクセス端末の少なくとも1つの他のモビリティ状態を判定するようにさらに構成され、前記判定された少なくとも1つの他のモビリティ状態に基づいて前記少なくとも1つのアクセスポイントに関する他の分数周波数再利用を規定するようにさらに構成され、
前記通信デバイスは、前記規定された他の分数周波数再利用の別の指示を送出するようにさらに構成される、
請求項1に記載の装置。
【請求項１１】
前記少なくとも1つのモビリティ状態の前記判定が、前記アクセス端末の速度を判定することを含む、請求項1に記載の装置。
【請求項１２】
前記少なくとも1つのモビリティ状態の前記判定が、前記アクセス端末の運動方向を判定することを含む、請求項1に記載の装置。
【請求項１３】
前記少なくとも1つのモビリティ状態の前記判定が、前記アクセス端末のハンドオーバの頻度を判定することを含む、請求項1に記載の装置。
【請求項１４】
前記少なくとも1つのアクセスポイントは、複数のアクセスポイントを含み、
前記少なくとも1つのモビリティ状態の前記判定は、前記複数のアクセスポイントのうちの少なくとも2つの間で前記アクセス端末がピンポン交渉しているかどうかを判定することを含む、
請求項1に記載の装置。
【請求項１５】
前記アクセス端末は、前記装置を具現化し、
前記指示の前記送出は、前記アクセス端末が分数周波数再利用パラメータを前記少なくとも1つのアクセスポイントに送信することを含む、
請求項1に記載の装置。
【請求項１６】
前記少なくとも1つのアクセスポイントは、前記アクセス端末にサービス中のアクセスポイントと、少なくとも1つの他のアクセスポイントとを含み、
前記サービス中のアクセスポイントは、前記装置を具現化し、
前記指示の前記送出は、前記サービス中のアクセスポイントが分数周波数再利用パラメータを少なくとも1つの他のアクセスポイントに送信することを含む、
請求項1に記載の装置。
【請求項１７】
前記少なくとも1つのアクセスポイントは、前記アクセス端末にサービス中のアクセスポイントと、少なくとも1つの他のアクセスポイントとを含み、
前記分数周波数再利用の前記規定は、前記サービス中のアクセスポイントおよび前記少なくとも1つの他のアクセスポイントに関する分数周波数再利用パラメータを選択するために前記サービス中のアクセスポイントと前記少なくとも1つの他のアクセスポイントとの間でネゴシエートすることを含む、
請求項1に記載の装置。
【請求項１８】
通信の方法であって、
アクセス端末の少なくとも1つのモビリティ状態を判定するステップと、
前記判定された少なくとも1つのモビリティ状態に基づいて少なくとも1つのアクセスポイントに関する分数周波数再利用を規定するステップと、
前記規定された分数周波数再利用の指示を送出するステップと
を含む、方法。
【請求項１９】
前記少なくとも1つのモビリティ状態の前記判定は、前記アクセス端末が運動中であるかどうかを判定することを含む、請求項18に記載の方法。
【請求項２０】
前記分数周波数再利用の前記規定は、前記アクセス端末が運動しきい値を満たすか、または超えるように運動している場合、前記少なくとも1つのアクセスポイントに関する分数周波数再利用を起動するか、または変更することを含む、請求項19に記載の方法。
【請求項２１】
前記分数周波数再利用の前記規定が、前記アクセス端末における干渉の低減をもたらす分数周波数再利用を識別することを含む、請求項18に記載の方法。
【請求項２２】
前記少なくとも1つのモビリティ状態の前記判定は、前記アクセス端末がセル縁部に近いかどうかを判定することを含む、請求項18に記載の方法。
【請求項２３】
前記分数周波数再利用の前記規定は、前記アクセス端末から前記セル縁部までの距離が距離しきい値であるか、または前記距離しきい値内である場合、前記少なくとも1つのアクセスポイントに関する分数周波数再利用を起動するか、または変更することを含む、請求項22に記載の方法。
【請求項２４】
前記分数周波数再利用の前記規定は、前記アクセス端末によって測定される、前記少なくとも1つのアクセスポイントからの信号の信号強度が信号強度しきい値であるか、または前記信号強度しきい値内である場合、前記少なくとも1つのアクセスポイントに関する分数周波数再利用を起動するか、または変更することを含む、請求項18に記載の方法。
【請求項２５】
前記少なくとも1つのモビリティ状態の前記判定が、前記アクセス端末に関連するリンクの品質を判定することを含む、請求項18に記載の方法。
【請求項２６】
前記分数周波数再利用の前記規定は、前記リンクの前記品質が品質しきい値以下である場合、前記少なくとも1つのアクセスポイントに関する分数周波数再利用を起動するか、または変更することを含む、請求項25に記載の方法。
【請求項２７】
別のアクセス端末の少なくとも1つの他のモビリティ状態を判定するステップと、
前記判定された少なくとも1つの他のモビリティ状態に基づいて前記少なくとも1つのアクセスポイントに関する他の分数周波数再利用を規定するステップと、
前記規定された他の分数周波数再利用の別の指示を送出するステップと
をさらに含む、請求項18に記載の方法。
【請求項２８】
前記少なくとも1つのモビリティ状態の前記判定が、前記アクセス端末の速度を判定することを含む、請求項18に記載の方法。
【請求項２９】
前記少なくとも1つのモビリティ状態の前記判定が、前記アクセス端末の運動方向を判定することを含む、請求項18に記載の方法。
【請求項３０】
前記少なくとも1つのモビリティ状態の前記判定が、前記アクセス端末のハンドオーバの頻度を判定することを含む、請求項18に記載の方法。
【請求項３１】
前記少なくとも1つのアクセスポイントは、複数のアクセスポイントを含み、
前記少なくとも1つのモビリティ状態の前記判定は、前記複数のアクセスポイントのうちの少なくとも2つの間で前記アクセス端末がピンポン交渉しているかどうかを判定することを含む、
請求項18に記載の方法。
【請求項３２】
前記方法は、前記アクセス端末によって実行され、
前記指示の前記送出は、前記アクセス端末が分数周波数再利用パラメータを前記少なくとも1つのアクセスポイントに送信することを含む、
請求項18に記載の方法。
【請求項３３】
前記少なくとも1つのアクセスポイントは、前記アクセス端末にサービス中のアクセスポイントと、少なくとも1つの他のアクセスポイントとを含み、
前記方法は、前記サービス中のアクセスポイントによって実行され、
前記指示の前記送出は、前記サービス中のアクセスポイントが分数周波数再利用パラメータを少なくとも1つの他のアクセスポイントに送信することを含む、
請求項18に記載の方法。
【請求項３４】
前記少なくとも1つのアクセスポイントは、前記アクセス端末にサービス中のアクセスポイントと、少なくとも1つの他のアクセスポイントとを含み、
前記分数周波数再利用の前記規定は、前記サービス中のアクセスポイントおよび前記少なくとも1つの他のアクセスポイントに関する分数周波数再利用パラメータを選択するために前記サービス中のアクセスポイントと前記少なくとも1つの他のアクセスポイントとの間でネゴシエートすることを含む、
請求項18に記載の方法。
【請求項３５】
通信のための装置であって、
アクセス端末の少なくとも1つのモビリティ状態を判定するための手段と、
前記判定された少なくとも1つのモビリティ状態に基づいて少なくとも1つのアクセスポイントに関する分数周波数再利用を規定するための手段と、
前記規定された分数周波数再利用の指示を送出するための手段と
を含む、装置。
【請求項３６】
前記少なくとも1つのモビリティ状態の前記判定は、前記アクセス端末が運動中であるかどうかを判定することを含む、請求項35に記載の装置。
【請求項３７】
前記分数周波数再利用の前記規定は、前記アクセス端末が運動しきい値を満たすか、または超えるように運動している場合、前記少なくとも1つのアクセスポイントに関する分数周波数再利用を起動するか、または変更することを含む、請求項36に記載の装置。
【請求項３８】
前記分数周波数再利用の前記規定が、前記アクセス端末における干渉の低減をもたらす分数周波数再利用を識別することを含む、請求項35に記載の装置。
【請求項３９】
前記少なくとも1つのモビリティ状態の前記判定は、前記アクセス端末がセル縁部に近いかどうかを判定することを含む、請求項35に記載の装置。
【請求項４０】
前記分数周波数再利用の前記規定は、前記アクセス端末から前記セル縁部までの距離が距離しきい値であるか、または前記距離しきい値内である場合、前記少なくとも1つのアクセスポイントに関する分数周波数再利用を起動するか、または変更することを含む、請求項39に記載の装置。
【請求項４１】
前記少なくとも1つのモビリティ状態の前記判定が、前記アクセス端末に関連するリンクの品質を判定することを含む、請求項35に記載の装置。
【請求項４２】
前記分数周波数再利用の前記規定は、前記リンクの前記品質が品質しきい値以下である場合、前記少なくとも1つのアクセスポイントに関する分数周波数再利用を起動するか、または変更することを含む、請求項41に記載の装置。
【請求項４３】
コンピュータプログラムであって、
コンピュータに、
アクセス端末の少なくとも1つのモビリティ状態を判定させ、
前記判定された少なくとも1つのモビリティ状態に基づいて少なくとも1つのアクセスポイントに関する分数周波数再利用を規定させ、
前記規定された分数周波数再利用の指示を送出させる
ためのコードを含む、
コンピュータプログラム。
【請求項４４】
前記少なくとも1つのモビリティ状態の前記判定は、前記アクセス端末が運動中であるかどうかを判定することを含む、請求項43に記載のコンピュータプログラム。
【請求項４５】
前記分数周波数再利用の前記規定は、前記アクセス端末が運動しきい値を満たすか、または超えるように運動している場合、前記少なくとも1つのアクセスポイントに関する分数周波数再利用を起動するか、または変更することを含む、請求項44に記載のコンピュータプログラム。
【請求項４６】
前記分数周波数再利用の前記規定が、前記アクセス端末における干渉の低減をもたらす分数周波数再利用を識別することを含む、請求項43に記載のコンピュータプログラム。
【請求項４７】
前記少なくとも1つのモビリティ状態の前記判定は、前記アクセス端末がセル縁部に近いかどうかを判定することを含む、請求項43に記載のコンピュータプログラム。
【請求項４８】
前記分数周波数再利用の前記規定は、前記アクセス端末から前記セル縁部までの距離が距離しきい値であるか、または前記距離しきい値内である場合、前記少なくとも1つのアクセスポイントに関する分数周波数再利用を起動するか、または変更することを含む、請求項47に記載のコンピュータプログラム。
【請求項４９】
前記少なくとも1つのモビリティ状態の前記判定が、前記アクセス端末に関連するリンクの品質を判定することを含む、請求項43に記載のコンピュータプログラム。
【請求項５０】
前記分数周波数再利用の前記規定は、前記リンクの前記品質が品質しきい値以下である場合、前記少なくとも1つのアクセスポイントに関する分数周波数再利用を起動するか、または変更することを含む、請求項49に記載のコンピュータプログラム。
【発明の詳細な説明】
【技術分野】
【０００１】
本出願は、概して、通信に関し、より詳細には、限定はしないが、分数周波数再利用に関する。
【背景技術】
【０００２】
ワイヤレス通信ネットワークは、地理的エリア内のユーザに様々なタイプのサービス(たとえば、音声、データ、マルチメディアサービスなど)を提供するように展開され得る。通常の実装形態では、あるネットワークによりサービスされる地理的エリア内で動作しているアクセス端末(たとえば、携帯電話)に対するワイヤレス接続を提供するために、マクロアクセスポイント(たとえば、様々なマクロセルに対応する)が、そのネットワーク全体に分布する。
【０００３】
いくつかのネットワークでは、低電力アクセスポイント(たとえば、フェムトセル)は、従来のネットワークアクセスポイント(たとえば、マクロアクセスポイント)を補完するために展開される。たとえば、ユーザの自宅または企業環境(たとえば、商業ビル)にインストールされた低電力アクセスポイントは、セルラー無線通信(たとえば、CDMA、WCDMA(登録商標)、UMTS、LTEなど)をサポートするアクセス端末に、音声および高速データサービスを提供することができる。一般に、これらの低電力アクセスポイントは、低電力アクセスポイントの近傍のアクセス端末に、よりロバストなカバレージおよびより高いスループットを提供する。
【０００４】
所与の時点では、アクセス端末は、これらのアクセスポイントのうちの所与の1つによってサービスされ得る。アクセス端末が地理的エリア全体でローミングするとき、アクセス端末は、そのサービス中のアクセスポイントから遠ざかり、別のアクセスポイントに近づく場合がある。加えて、所与のセル内の信号状態は、変化する可能性があり、それにより、アクセス端末は、別のアクセスポイントによって、より十分にサービスされる可能性がある。これらの場合では、アクセス端末の機動性を維持するために、アクセス端末は、そのサービス中のアクセスポイントから他のアクセスポイントにハンドオーバされ得る。
【０００５】
実際には、特にネットワークが密集した低電力アクセスポイントの領域を含む場合、アクセス端末のモビリティに関連する問題が生じる場合がある。動きの速いアクセス端末は、これらのアクセスポイントのセル縁部において遭遇する信号状態により、しばしばサービスが不十分な状態に陥る場合がある。たとえば、アクセス端末は、それが隣接するセルにハンドオーバされ得る前に、そのサービス中のセルとの無線リンク障害(RLF)を被る場合がある。
【発明の概要】
【課題を解決するための手段】
【０００６】
本開示のいくつかの例示的な態様の概要は以下の通りである。この概要は、そのような態様の基本的な理解を与えるように読者の便宜のために行われるのであって、本開示の範囲を全体的に定義するものではない。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。便宜上、いくつかの態様という用語が、本明細書において、本開示の単一の態様または複数の態様を指すのに使用され得る。
【０００７】
本開示は、いくつかの態様では、運動中のアクセス端末、セル縁部にあるアクセス端末、または場合によってはリンク品質不良を被っているアクセス端末の通信を改善するために分数周波数再利用(FFR)を使用することに関する。詳細には、サービス中のアクセスポイントおよび/または隣接するアクセスポイントにおいてアクセス端末のためにリソースを解放するか、またはさもなければ確保するために、FFRが採用される。たとえば、サービス中のアクセスポイントは、アクセス端末に追加のサブバンドを割り振り、かつ/またはアクセス端末に割り振られたサブバンドにおいて使用される電力レベルを増加させる場合がある。加えて、隣接するアクセスポイントは、アクセス端末がこれらのサブバンドにおいて良好なリンク品質を享受することをさらに確実にするために、これらのサブバンドを(たとえば、完全に、またはサブバンドの電力を低減させることによって)譲歩する場合がある。
【０００８】
本開示は、いくつかの態様では、アクセス端末のモビリティ状態に基づいてFFRをトリガすることに関する。たとえば、アクセス端末が運動中である(または、セル縁部にある、またはリンク品質不良など)と判定すると、アクセス端末に関する許容可能なリンク品質を維持するために(たとえば、RLFを回避するために)アクセス端末にサービス中のアクセスポイントおよび/または隣接するアクセスポイントに関して、FFRが規定される(たとえば、起動されるか、または変更される)場合がある。場合によっては、トリガ条件は、アクセス端末におけるリンク品質(たとえば、信号対干渉雑音比(SINR)、LTEにおける基準信号受信品質(RSRQ)、またはLTEにおける基準信号受信電力(RSRP))に関連する。
【０００９】
FFRは、様々な実装形態において様々なタイプの装置によってトリガされ得る。たとえば、FFRは、アクセス端末、アクセス端末にサービス中のアクセスポイント、隣接するアクセスポイント、またはいくつかの他のノード(たとえば、いくつかの他のネットワークエンティティ)によってトリガされ得る。
【００１０】
アクセス端末にトリガされるFFRの場合、アクセス端末が運動中である(またはセル縁部にある、など)と判定すると、アクセス端末は、そのサービス中のアクセスポイントおよび/または1つもしくは複数の隣接するアクセスポイントにおいてFFRを起動するか、または変更するためのメッセージを送信する(たとえば、ブロードキャストする)場合がある。いくつかの態様では、アクセス端末によって送信されたメッセージは、(たとえば、アクセスポイントにおいて使用されるように)アクセス端末に対するFFR割振りを指定する場合がある。この場合、メッセージを受信する任意のアクセスポイントは、適切な態様で、そのFFRを規定する場合がある。たとえば、サービス中のアクセスポイントは、アクセス端末に新規に割り振られるサブバンドの使用を開始する場合があり、隣接するアクセスポイントは、これらのサブバンドを譲歩する場合がある。
【００１１】
アクセスポイントにトリガされるFFRの場合、アクセス端末が運動中である(またはセル縁部にある、など)と判定すると、アクセスポイントは、それ自体のFFRパラメータ、場合によってはその隣接するアクセスポイントのFFRパラメータを規定する場合がある。次いで、アクセスポイントは、その隣接するアクセスポイントにFFR割振りを知らせるためにこれらの隣接するアクセスポイントにメッセージを送出する場合がある。次いで、これらの隣接するセルは、適切な態様で(たとえば、サービス中のアクセスポイントによって採用される割振りと異なる態様で)FFRを起動するか、または変更する場合がある。
【００１２】
いくつかの態様では、本明細書の教示による通信のための装置は、アクセス端末の少なくとも1つのモビリティ状態を判定するように構成され、判定された少なくとも1つのモビリティ状態に基づいて少なくとも1つのアクセスポイントに関する分数周波数再利用を規定するようにさらに構成された処理システムと、規定された分数周波数再利用の指示を送出するように構成され得る通信デバイスとを含む。
【００１３】
いくつかの態様では、本明細書の教示による通信の方法は、アクセス端末の少なくとも1つのモビリティ状態を判定するステップと、判定された少なくとも1つのモビリティ状態に基づいて少なくとも1つのアクセスポイントに関する分数周波数再利用を規定するステップと、規定された分数周波数再利用の指示を送出するステップとを含む。
【００１４】
いくつかの態様では、本明細書の教示による通信のための装置は、アクセス端末の少なくとも1つのモビリティ状態を判定するための手段と、判定された少なくとも1つのモビリティ状態に基づいて少なくとも1つのアクセスポイントに関する分数周波数再利用を規定するための手段と、規定された分数周波数再利用の指示を送出するための手段とを含む。
【００１５】
いくつかの態様では、本明細書の教示によるコンピュータプログラム製品は、コンピュータに、アクセス端末の少なくとも1つのモビリティ状態を判定させ、判定された少なくとも1つのモビリティ状態に基づいて少なくとも1つのアクセスポイントに関する分数周波数再利用を規定させ、規定された分数周波数再利用の指示を送出させるためのコードを含むコンピュータ可読媒体を含む。
【００１６】
本開示のこれらおよび他の例示的な態様について、後に続く詳細な説明および特許請求の範囲に、ならびに添付の図面に記載する。
【図面の簡単な説明】
【００１７】
【図１】モビリティベースのFFRをサポートする通信システムのいくつかの例示的な態様の簡略図である。
【図２】モビリティベースのFFRの提供と併せて実行され得る動作のいくつかの例示的な態様のフローチャートである。
【図３】アクセスポイントがアクセス端末のモビリティを追跡し、それに応じてFFRを規定する、通信システムのいくつかの例示的な態様の簡略図である。
【図４】アクセス端末のモビリティに基づいてFFRを規定するアクセスポイントに関連して実行され得る動作のいくつかの例示的な態様のフローチャートである。
【図５】アクセス端末がそのモビリティを追跡し、それに応じてFFRを規定する、通信システムのいくつかの例示的な態様の簡略図である。
【図６】そのモビリティに基づいてFFRを規定するアクセス端末と併せて実行され得る動作のいくつかの例示的な態様のフローチャートである。
【図７】通信ノード中で採用され得る構成要素のいくつかの例示的な態様の簡略ブロック図である。
【図８】ワイヤレス通信システムの簡略図である。
【図９】スモールセルを含むワイヤレス通信システムの簡略図である。
【図１０】ワイヤレス通信のカバレージエリアを示す簡略図である。
【図１１】通信構成要素のいくつかの例示的な態様の簡略ブロック図である。
【図１２】本明細書で教示するように、FFRをサポートするように構成された装置のいくつかの例示的な態様の簡略ブロック図である。
【発明を実施するための形態】
【００１８】
慣例に従って、図面に示される様々な特徴は、一定の縮尺で描かれていない可能性がある。したがって、明確にするために、様々な特徴の寸法は、恣意的に拡大または縮小されている場合がある。加えて、図面のうちのいくつかは、明快のために簡略化されている可能性がある。したがって、図面は、所与の装置(たとえば、デバイス)または方法の構成要素のすべてを示すとは限らない。最後に、同様の参照符号は、本明細書および図を通して同様の特徴を示すために使用され得る。
【００１９】
本開示の様々な態様について、以下で説明する。本明細書の教示は多種多様な形で具現化され得ること、および本明細書で開示される任意の特定の構造、機能または両方は代表的なものにすぎないことは明らかであろう。本明細書の教示に基づいて、本明細書で開示される態様が他の任意の態様から独立して実装され得ること、および、これらの態様のうちの2つ以上が様々な方法で結合され得ることを、当業者は諒解されよう。たとえば、本明細書に記載される任意の数の態様を使用して、装置が実装され得、または方法が実施され得る。加えて、本明細書に記載される態様のうちの1つまたは複数に加えて、または、それら以外に、他の構造、機能、または構造および機能を使用して、そのような装置が実装され得、またはそのような方法が実施され得る。さらに、本明細書で開示される任意の態様は、請求項の1つまたは複数の要素によって実施され得る。
【００２０】
図1は、例示的な通信システム100(たとえば、通信ネットワークの一部)のいくつかのノードを示す。例示のために、互いに通信する、1つまたは複数のアクセス端末、アクセスポイント、およびネットワークエンティティのコンテキストにおいて、本開示の様々な態様について説明する。しかしながら、本明細書の教示は、他の専門用語を使用して参照される、他のタイプの装置または他の同様の装置に適用可能であり得ることを諒解されたい。たとえば、様々な実装形態では、アクセスポイントは、基地局、ノードB、eノードB、ホームノードB、ホームeノードB、スモールセル、マクロセル、フェムトセルなどと呼ばれるか、またはそれらとして実装される可能性があるが、アクセス端末は、ユーザ機器(UE)、移動局などと呼ばれるか、またはそれらとして実装される可能性がある。
【００２１】
システム100内のアクセスポイントは、システム100のカバレージエリア内にインストールされ得るか、またはそのカバレージエリア全体でローミングし得る1つまたは複数のワイヤレス端末(たとえば、アクセス端末102および104)に、1つまたは複数のサービス(たとえば、ネットワーク接続)へのアクセスを提供する。たとえば、様々な時点において、アクセス端末102は、アクセスポイント106、アクセスポイント108、またはシステム100内の何らかのアクセスポイント(図示せず)に接続することができる。同様に、様々な時点において、アクセス端末104は、アクセスポイント108、アクセスポイント106、または何らかの他のアクセスポイントに接続し得る。
【００２２】
アクセスポイントの各々は、広いエリアのネットワーク接続を容易にするために、互いに通信することを含めて、(便宜的にネットワークエンティティ110により代表される)1つまたは複数のネットワークエンティティと通信することができる。そのようなネットワークエンティティのうちの2つ以上は、コロケートされている可能性があり、かつ/または、そのようなネットワークエンティティのうちの2つ以上は、ネットワーク全体に分布している可能性がある。
【００２３】
ネットワークエンティティは、たとえば、1つまたは複数の無線ネットワークエンティティおよび/またはコアネットワークエンティティなどの様々な形態をとり得る。したがって、様々な実装形態では、ネットワークエンティティ110は、ネットワーク管理(たとえば、運用、アドミニストレーション、管理、およびプロビジョニングのエンティティを介した)、呼制御、セッション管理、モビリティ管理、ゲートウェイ機能、インターワーキング機能、またはいくつかの他の適切なネットワーク機能のうちの少なくとも1つなどの機能を表すことができる。いくつかの態様では、モビリティ管理は、追跡エリア、位置エリア、ルーティングエリア、またはいくつかの他の適切な技法の使用を通してアクセス端末の現在位置を追跡するステップと、アクセス端末のページングを制御するステップと、アクセス端末にアクセス制御を提供するステップとに関連する。
【００２４】
システム100内のアクセスポイントのうちのいくつか(たとえば、アクセスポイント106および108)は、低電力アクセスポイントを含み得る。様々なタイプの低電力アクセスポイントは、所与のシステムにおいて採用され得る。たとえば、低電力アクセスポイントは、フェムトセル、フェムトアクセスポイント、スモールセル、フェムトノード、ホームノードB(HNB)、ホームeノードB(HeNB)、アクセスポイント基地局、ピコセル、ピコノード、またはマイクロセルとして実装されるか、またはそのように呼ばれる可能性がある。典型的には、低電力アクセスポイントは、携帯電話事業者のネットワークにバックホールリンクを提供するブロードバンド接続(たとえばデジタル加入者回線(DSL)ルータ、ケーブルモデム、または何らかの他のタイプのモデム)を介してインターネットに接続する。したがって、ユーザの自宅または商業用に展開された低電力アクセスポイントは、ブロードバンド接続を介して1つまたは複数のデバイスへのモバイルネットワークアクセスを提供する。
【００２５】
本明細書で使用する低電力アクセスポイントという用語は、カバレージエリア中の任意のマクロアクセスポイントの(たとえば、上記で定義した)送信電力未満の送信電力(たとえば、最大送信電力、瞬時送信電力、名目送信電力、平均送信電力、または何らかの他の形態の送信電力のうちの1つまたは複数)を有するアクセスポイントを指す。いくつかの実装形態では、各低電力アクセスポイントは、マクロアクセスポイントの(たとえば、上記で定義した)送信電力よりも相対マージンだけ(たとえば、10dBm以上)小さい(たとえば、上記で定義した)送信電力を有する。いくつかの実装形態では、フェムトセルなどの低電力アクセスポイントは、20dBm以下の最大送信電力を有する可能性がある。いくつかの実装形態では、ピコセルなどの低電力アクセスポイントは、24dBm以下の最大送信電力を有する可能性がある。しかしながら、これらまたは他のタイプの低電力アクセスポイントは、他の実装形態では、より高いかまたはより低い最大送信電力(たとえば、ある場合には1ワットまで、ある場合には10ワットまでなど)を有する可能性があることを諒解されたい。
【００２６】
便宜上、低電力アクセスポイントは、以下の説明では、単にスモールセルと呼ばれる可能性がある。したがって、本明細書におけるスモールセルに関連するいずれの議論も、低電力アクセスポイントに一般に(たとえば、フェムトセル、マイクロセル、ピコセルなどに)等しく適用可能であり得ることを諒解されたい。
【００２７】
スモールセルは、様々なタイプのアクセスモードをサポートするように構成され得る。たとえば、オープンアクセスモードでは、スモールセルは、任意のアクセス端末がスモールセルを介して任意のタイプのサービスを取得することを可能にし得る。制限された(または閉じた)アクセスモードでは、スモールセルは、認証されたアクセス端末のみがスモールセルを介してサービスを取得することを可能にし得る。たとえば、スモールセルは、ある加入者グループ(たとえば、限定加入者グループ(CSG))に属するアクセス端末(たとえば、いわゆるホームアクセス端末)のみがスモールセルを介してサービスを取得することを可能にし得る。ハイブリッドアクセスモードでは、外来アクセス端末(たとえば、非ホームアクセス端末、非CSGアクセス端末)は、スモールセルに対する制限されたアクセスを与えられ得る。たとえば、スモールセルのCSGに属さないマクロアクセス端末は、スモールセルにより現在サービスされているすべてのホームアクセス端末に対して十分なリソースが利用可能である場合にのみ、スモールセルにアクセスすることを許可され得る。
【００２８】
したがって、これらのアクセスモードのうちの1つまたは複数において動作するスモールセルは、屋内のカバレージおよび/または拡張された屋外のカバレージを提供するために使用され得る。所望のアクセス動作モードの採用によりユーザへのアクセスを可能にすることによって、スモールセルは、カバレージエリア内で改善されたサービスを提供し、場合によっては、マクロネットワークのユーザにサービスカバレージエリアを拡張することができる。
【００２９】
アクセス端末がスモールセルの近傍に位置するとき、利用可能なチャネルリソース(たとえば、無線周波数キャリアリソース)のすべてが、アクセス端末とスモールセルとの間の通信に割り振られる場合がある。これらの構成要素が極めて近いために、通信は、隣接するセルと干渉する可能性が低く、その逆も同様である。したがって、隣接するセルにおけるサービスに悪影響を及ぼすことなく、アクセス端末に高レベルのサービスが提供され得る。
【００３０】
図1は、キャリアリソースがシンボル112、114、116、および118のカラムによって示される6つのサブバンドによって規定される、簡略化された例を示す。各カラムの垂直軸は、そのサブバンドに割り振られた送信電力を表す。図1に示す例では、アクセス端末102がアクセスポイント106に近いとき、6つのすべてのサブバンドが、シンボル112によって示されるようにアクセス端末102とアクセスポイント106との間の通信に割り振られる。同様に、アクセス端末104がアクセスポイント108に近いとき、6つのすべてのサブバンドが、シンボル114によって示されるようにアクセス端末104とアクセスポイント108との間の通信に割り振られる。
【００３１】
アクセス端末がセルのカバレージ内で動くとき、アクセス端末は、サービスの劣化を被る場合がある。そのようなサービスの劣化は、ハンドオーバ動作中または非ハンドオーバ動作中に起こり得る。
【００３２】
たとえば、パイロットポリューションのために、モバイルアクセス端末は、(このアクセス端末によって見られる)ターゲットセルからの信号が急速に強くなるときはいつでも、RLFを被り得る。そのような場合、ターゲットセルからの信号は、サービス中のセルからの信号を減弱させ、それにより、アクセス端末がサービス中のセルからのハンドオーバメッセージまたは他のメッセージを受信することを妨げる場合がある。
【００３３】
別の例として、アクセス端末は、ホームセルのセル縁部に接近するとき、(アクセス端末によって見られる)隣接するセルからの信号は、ホームセルからの信号よりも強くなる場合がある。この場合、アクセス端末のハンドオーバは、望まれない場合がある。したがって、アクセス端末とそのホームセルとの間の通信の品質が、損害を被る場合がある。
【００３４】
本明細書の教示によれば、モバイルアクセス端末のためのサービスを改善するためにアクセス端末のモビリティに基づいて、FFRが採用され得る。図1の簡略化された例では、セルのカバレージは破線の楕円によって表され、アクセス端末の運動は破線矢印によって表され、アクセス端末の新規の位置は、想像線で示される(破線ブロックによって表される)。シンボル116および118によって表されるように、アクセス端末102が動く(またはセル縁部に近づく、など)とき、FFRは、隣接するセルからの干渉を緩和し、かつ/またはサービス中のセルからのサービスを改善するように規定される。この特定の例では、アクセスポイント106のセルに関して規定されたFFRは、(想像線で示された)アクセス端末102とアクセスポイント106との間の通信のための送信電力がシンボル116の第1、第3、および第5のサブバンドにおいて増加する一方で、この通信のための送信電力がシンボル116の第2、第4、および第6のサブバンドにおいて減少することを指定する。補完的に、アクセスポイント108のセルに関して規定されたFFRは、(たとえば、(想像線で示された)アクセス端末104とアクセスポイント108との間の通信のための)送信電力がシンボル118の第2、第4、および第6のサブバンドにおいて増加する一方で、この通信のための送信電力がシンボル118の第1、第3、および第5のサブバンドにおいて減少することを指定する。したがって、モビリティベースのFFRは、隣接するセルがいくつかの状態の下でモバイルアクセス端末によって使用されるサブバンドを譲歩するように規定され得る。
【００３５】
ここで、本明細書で教示するFFRに関連する例示的な動作について、図2のフローチャートと併せてより詳細に説明する。便宜的に、図2の動作(または本明細書で論じられるか、または教示される任意の他の動作)については、特定の構成要素(たとえば、図1、図3、図5、図7などの構成要素)によって実行されるものとして説明され得る。しかしながら、これらの動作が、他のタイプの構成要素によって実行することができ、かつ異なる数の構成要素を使用して実行され得ることを諒解されたい。また、本明細書で説明する動作のうちの1つまたは複数が、所与の実装形態において採用され得ないことも諒解されたい。
【００３６】
図2のブロック202によって表されるように、アクセス端末の少なくとも1つのモビリティ状態が判定される。様々な実装形態および/または使用シナリオにおいてFFRをトリガするために、様々なモビリティ状態が使用され得る。たとえば、モビリティ状態は、アクセス端末がセル縁部にあるかどうか、アクセス端末運動の態様(たとえば、速度、方向、加速度など)、アクセス端末の信号状態(たとえば、リンク品質)、またはアクセス端末のハンドオーバ履歴のうちの1つまたは複数に関連し得る。
【００３７】
ブロック204によって表されるように、少なくとも1つのアクセス端末のためのFFRは、ブロック202において判定されたモビリティ状態に基づいて規定される。たとえば、FFRは、アクセス端末にサービス中のアクセスポイント(たとえば、セル)、および場合によっては1つまたは複数の隣接するアクセスポイントに関して規定され得る。どのアクセスポイントがFFRを採用すべきかに関する決定は、たとえば、所与のアクセスポイントに対するリソース割振りの変更がアクセス端末の信号状態を改善するかどうかに依存し得る。一般に、FFRは、アクセス端末がスケジューリングされる、これらのリソースに関して規定される。すなわち、アクセス端末にサービスを提供するのに使用されないリソースは、FFRの割振りのために考慮される必要がない。
【００３８】
所与のシナリオにおいて、ハードFFRまたはソフトFFRが採用され得る。たとえば、ハードFFRでは、ホームセルは、利用可能なサブバンドの第1のサブセットにおいて全電力を採用し、残りのサブバンド(サブバンドの第2のサブセット)において送信しない場合がある一方で、隣接するセルは、サブバンドの第2のサブセットにおいて全電力を採用し、サブバンドの第1のサブセットにおいて送信しない。対照的に、ソフトFFRでは、様々なセルは、同じサブバンドにおいて送信するが、低減された電力で送信する場合がある。図1のシンボル116および118(詳細には、第1および第4のサブバンド)は、ソフトFFRの一例を示す。
【００３９】
FFRを規定することは、いくつかの態様では、どのリソースが所与のセルによって使用されるべきか(たとえば、周波数サブバンド区分)を規定すること、所与のリソースに使用されるべき送信電力を規定すること、またはその両方を含み得る。たとえば、アクセス端末における干渉を低減させるためにFFRを規定することは、アクセス端末に送信するためのセルに割り振られたリソースに関して送信電力を上昇させること、および/またはこれらのリソースに関して隣接するセルの送信電力を低減させることを含み得る。別の例として、アクセス端末における干渉を低減させるためにFFRを規定することは、アクセス端末に送信するためのセルに少なくとも1つのリソースを割り振ること、および/または隣接するセルに関して少なくとも1つのリソースの割振り解除を行うことを含み得る。したがって、いくつかの態様では、本明細書の教示に従ってFFRを規定することは、モビリティによってトリガされるリソース管理、および/またはモビリティによってトリガされる電力管理を含み得る。
【００４０】
FFRは、アクセス端末のために、別個にまたはグループベースで規定され得る。前者の場合の例として、アクセスポイントは、そのサービスされるアクセス端末の各々に関するFFRパラメータを別個に規定し得る。この場合、様々なFFRパラメータが、様々なアクセス端末に使用され得る。後者の場合の例として、アクセスポイントは、サービスされるアクセス端末の組のうちのいずれかと通信する際に使用される1組のFFRパラメータを規定し得る。
【００４１】
様々な実装形態および/または使用シナリオにおいて様々な方法で、FFRが規定され得る。たとえば、FFRの規定は、FFRが前に使用されなかった場合、FFRを起動することを含み得る。逆に、FFRの規定は、FFRが前に使用された場合、FFRを変更する(たとえば、適応させる)ことを含み得る。また、FFRは、場合によっては(たとえば、アクセス端末がセルサイトの方に戻るとき)無効にされ得る。
【００４２】
モビリティベースのFFRは、静的または動的であり得る。前者の場合の例として、いくつかの規定されたモビリティ状態の下で使用されるFFRパラメータがあらかじめ規定され得る。たとえば、アクセス端末がセル縁部にあるときはいつでも、FFRパラメータの特定の組が使用され得る。後者の場合の例として、所与の時点において使用されるFFRパラメータは、アクセス端末の現在の状態に基づいて選択され得る。たとえば、セル縁部において低干渉を受けるアクセス端末では、セル縁部において高干渉を受けるアクセス端末と比較して、アグレッシブでないFFRが規定され得る。
【００４３】
したがって、いくつかの態様では、本明細書で教示するFFRは、モバイルアクセス端末(たとえば、高モビリティユーザ)を有するセルにリソースを割り振るために使用され得る。その上、FFRは、決定論的リソースがモバイルアクセス端末に割り振られる、決定論的方法で規定され得る。
【００４４】
図2のブロック206によって表されるように、ブロック204においてFFRを規定する装置は、既定された分数再利用の指示を1つまたは複数の装置に送出する(たとえば、送信する)場合がある。たとえば、そのような指示は、FFRが規定されるアクセスポイントのうちの1つまたは複数に送出される場合がある。いくつかの態様では、その指示の送出は、アクセス端末が分数周波数再利用パラメータを少なくとも1つのアクセスポイントに送信することを含む。いくつかの態様では、その指示の送出は、サービス中のアクセスポイントが分数周波数再利用パラメータを少なくとも1つの他のアクセスポイントに送出することを含む。
【００４５】
以下により詳細に論じるように、図2の動作は、様々な実装形態において様々なタイプの装置(たとえば、ノード)によって実装され得る。
【００４６】
いくつかの実装形態では、これらの動作が、アクセスポイントによって少なくとも部分的に実行される。たとえば、セル(たとえば、サービス中のセル)は、アクセス端末のモビリティを監視し、適宜(たとえば、アクセス端末が高速で運動中であるとき)アクセス端末に関連するFFRを規定し、規定されたFFRを採用することを求める要求を隣接するセルに送出する場合がある。アクセスポイントが中心の実装形態の例について、図3および図4と併せて以下に説明する。
【００４７】
いくつかの実装形態では、図2の動作が、アクセス端末によって少なくとも部分的に実行される。たとえば、アクセス端末は、そのモビリティを監視し、適宜FFRを規定し、規定されたFFRを採用することを求める要求をアクセス端末のサービス中のセルおよび隣接するセルに送出する場合がある。アクセス端末が中心の実装形態の例について、図5および図6と併せて以下に説明する。
【００４８】
いくつかの実装形態では、図2の動作が、ネットワークエンティティによって少なくとも部分的に実行される。たとえば、ネットワーク管理構成要素(たとえば、ホームノードBゲートウェイ)は、指定された領域内で(たとえば、領域内のアクセスポイントからの報告を受信することによって)任意のアクセス端末のモビリティに関する情報を収集することができる。したがって、ネットワークエンティティは、アクセス端末のモビリティによって保証されるように、その領域内のアクセスポイントに関してFFRを規定し、FFRパラメータをアクセスポイントに送出する場合がある。
【００４９】
図3を参照すると、この例では、アクセスポイント304は、アクセス端末302のためのFFRをトリガすべきかどうかを判定するためにアクセス端末302のモビリティを追跡する。たとえば、アクセスポイント304は、アクセス端末302からモビリティ関連の情報を受信するか、またはさもなければ(たとえば、ドップラーシグナリングを介して)アクセス端末を追跡するために、シンボル310によって表されるシグナリング(たとえば、無線周波数シグナリング)を使用する場合がある。典型的なシナリオでは、アクセスポイント304は、アクセス端末302にサービス中のアクセスポイントである。しかしながら、いくつかのシナリオでは、サービス中でないアクセスポイントにおいて、アクセス端末モビリティ追跡が採用され得る。
【００５０】
FFRが保証されると判定すると、アクセスポイント304は、アクセス端末302の近傍でFFRの使用を設定するために1つまたは複数の隣接するアクセスポイント(たとえば、アクセスポイント306および308)と通信する。典型的な実装形態では、アクセスポイント304〜308は、バックホールを介して通信する。加えて、隣接するアクセスポイントは、各アクセスポイントにおいて、または各アクセスポイントのために維持される隣接物リストの使用を介して識別され得る。
【００５１】
アクセスポイント304〜308が設定されると、アクセスポイントの各々による送信は、指定されたFFRパラメータに基づいて制限される。シンボル312、314、および316によって示されるように、通常、それぞれ、アクセスポイント304、306、および308によって、異なるFFRパラメータが使用される。
【００５２】
図4は、FFRがアクセス端末のモビリティに基づいてアクセスポイントによって規定される、実装形態において採用され得る動作の例を示す。
【００５３】
ブロック402によって表されるように、第1のアクセスポイントは、アクセス端末のモビリティを示す信号を受信する。たとえば、第1のアクセスポイントは、それがアクセス端末からのドップラー信号(たとえば、アクセス端末によって生成された信号、またはアクセス端末から反射する信号)を監視する、ドップラーベースの追跡デバイスを採用する場合がある。別の例として、第1のアクセスポイントは、測定報告、ハンドオーバメッセージ、またはアクセス端末の位置、運動、または他のモビリティ状態を判定するのに使用され得る、アクセス端末によって送信される他の信号を受信する場合がある。
【００５４】
ブロック404によって表されるように、第1のアクセスポイントは、受信された信号に基づいてアクセス端末のモビリティ状態を判定する。いくつかの態様では、少なくとも1つのモビリティ状態の判定は、アクセス端末が運動中であるかどうかを判定することを含む。いくつかの態様では、少なくとも1つのモビリティ状態の判定は、アクセス端末がセル縁部に近いかどうかを判定することを含む。いくつかの態様では、少なくとも1つのモビリティ状態の判定は、アクセス端末に関連するリンクの品質を判定することを含む。いくつかの態様では、少なくとも1つのモビリティ状態の判定は、アクセス端末の速度を判定することを含む。いくつかの態様では、少なくとも1つのモビリティ状態の判定は、アクセス端末の運動方向を判定することを含む。いくつかの態様では、少なくとも1つのモビリティ状態の判定は、アクセス端末のハンドオーバの頻度を判定することを含む。いくつかの態様では、少なくとも1つのモビリティ状態の判定は、少なくとも2つのアクセスポイント間でアクセス端末が「ピンポン交渉」しているかどうかを判定することを含む。
【００５５】
ブロック406によって表されるように、第1のアクセスポイントは、アクセス端末のためのFFRを規定する(たとえば、アクセス端末と通信するために使用されるFFRを規定する)。いくつかの態様では、分数周波数再利用の規定は、アクセス端末が運動しきい値を満たすか、または超えるように運動している場合、少なくとも1つのアクセスポイントに関する分数周波数再利用を起動するか、または変更することを含む。いくつかの態様では、分数周波数再利用の規定は、アクセス端末における干渉の低減をもたらす分数周波数再利用を識別することを含む。いくつかの態様では、分数周波数再利用の規定は、アクセス端末からセル縁部までの距離が距離しきい値であるか、または距離しきい値内である(たとえば、距離しきい値以下である)場合、少なくとも1つのアクセスポイントに関する分数周波数再利用を起動するか、または変更することを含む。いくつかの態様では、分数周波数再利用の規定は、アクセス端末によって測定される、少なくとも1つのアクセスポイントからの信号の信号強度が信号強度しきい値であるか、または信号強度しきい値内である(たとえば、信号強度しきい値以下である)場合、少なくとも1つのアクセスポイントに関する分数周波数再利用を起動するか、または変更することを含む。たとえば、分数周波数再利用は、アクセス端末によって測定される、アクセスポイントからの信号の受信信号強度インジケータ(RSSI)がRSSIしきい値未満である場合、起動されるか、または変更される場合がある。いくつかの態様では、分数周波数再利用の規定は、リンクの品質が品質しきい値以下である場合、少なくとも1つのアクセスポイントに関する分数周波数再利用を起動するか、または変更することを含む。リンク品質は、たとえば、アクセス端末からのチャネル品質インジケータ(CQI)フィードバック、またはサービス中のセルの測定または隣接するセルの測定などの無線リソース管理(RRM)測定を介して判定され得る。分数周波数再利用の規定は、上記の因子のうちの1つもしくは複数(または、任意の他の適切な因子)に基づく場合がある。
【００５６】
場合によっては、第1のアクセスポイントは、それ自体によって、およびアクセス端末のモビリティの結果、FFRのために設定される任意の隣接するアクセスポイントによって使用されるFFRパラメータ(たとえば、使用されるサブバンドおよび/または各サブバンドにおいて使用される送信電力)を単方向で選択する。代替として、他の場合には、アクセスポイントは、各アクセスポイントによって使用されるFFRパラメータを選択するためにネゴシエートする。このシナリオは、たとえば、各アクセスポイントが異なるセル内のモバイルアクセス端末のためのFFRを規定するために2つ以上の他のアクセスポイントと協働する必要があり得る場合に採用され得る。
【００５７】
一般に、FFRパラメータは、アクセス端末に近い(たとえば、アクセス端末「によって見られる」)アクセスポイント(たとえば、ブロードキャスト信号がアクセス端末によって正常に受信されるアクセスポイント)に関連する特性に基づく場合がある。たとえば、より少ないサブバンドおよび/またはより低い送信電力が、アクセス端末により近いアクセスポイント、またはアクセス端末においてより強い信号を有するアクセスポイントに関して割り振られ得る。このように、最も強い干渉物による干渉が低減される一方、弱い干渉物の動作にできる限り小さい影響しか及ぼさない場合がある。
【００５８】
ブロック408によって表されるように、ブロック406のシナリオのいずれかにおいて、第1のアクセスポイントは、アクセス端末のためのFFRを設定するために1つまたは複数の隣接するアクセスポイントと通信する場合がある。特に、単方向のシナリオでは、第1のアクセスポイントは、各アクセスポイントにそれが使用すべきFFRパラメータを知らせるメッセージを各隣接するアクセスポイントに送出する。逆に、ネゴシエーションシナリオでは、アクセスポイントは、様々なアクセスポイントによって使用される様々なFFRパラメータに同意するとともに互いにメッセージを送出する。
【００５９】
ブロック410によって表されるように、各アクセスポイントは、そのそれぞれのアクセス端末と通信するために指定されたFFRを採用する。このように、各セル内のモバイルアクセス端末は、本明細書で教示するように、モビリティベースのFFRを使用しない展開と比較して、より良好なサービスを受信することができる。
【００６０】
ブロック412によって表されるように、ある時点において、アクセスポイントは、アクセス端末の後続のモビリティの結果、ブロック402〜410におけるFFR設定を終了させるか、またはさもなければ適応させる場合がある。たとえば、アクセス端末は、セルサイトの近傍で運動する場合がある。そのような場合、リソースは、前と同様に割り振られ得る。別の例として、アクセス端末は、これらのセルのカバレージから抜け出す場合がある。この場合、リソースは、適用可能な場合、他のアクセス端末に割り振られ得る。
【００６１】
上述のように、アクセスポイントは、個々のアクセス端末ベースで、またはアクセス端末グループベースで、そのサービスされるアクセス端末のためのFFRを規定し得る。前者の場合、アクセスポイントは、そのアクセス端末の各々に関して別個にブロック402〜412において上述した動作と同様の動作を実行することができる。後者の場合、ブロック402〜412において上述した動作は、グループのアクセス端末のすべてのためのFFRを提供するために使用される。
【００６２】
図5を参照すると、この例では、アクセス端末502は、FFRをトリガすべきかどうかを判定するためにそれ自体のモビリティを追跡する。たとえば、アクセス端末502は、その運動を追跡するためのセンサ(たとえば、加速度計)を採用し得る。別の例として、アクセス端末502は、既知のアクセスポイントから受信された信号に基づいて(たとえば、三辺測量または三角測量を使用して)その位置(および、拡張してその運動)を判定する場合がある。また、アクセス端末502は、ハンドオーバ統計量またはリンク状態に関連する統計量を収集し得る。
【００６３】
FFRが保証されると判定すると、アクセス端末502は、1つまたは複数の近隣のアクセスポイント(たとえば、アクセスポイント504、506、および508)を適切なFFRに設定するためにこれらのアクセスポイントと通信する。図5の例では、この通信は、FFR指示510によって表される。
【００６４】
いくつかの実装形態では、アクセス端末502は、指定されたFFRパラメータを含むオーバージエア(OTA)メッセージを、そのサービス中のアクセスポイント(たとえば、アクセスポイント504)に送信する。次いで、サービス中のアクセスポイントは、適切なFFR情報を用いてアクセス端末502の近傍のアクセスポイントのすべてを設定するために、(たとえば、バックホールを介して)その隣接するアクセスポイント(たとえば、アクセスポイント506および508)と通信する。ここで、隣接するアクセスポイントは、各アクセスポイントにおいて、または各アクセスポイントのために維持される隣接物リストの使用を介して識別され得る。
【００６５】
他の実装形態では、アクセス端末502は、指定されたFFRパラメータを含むオーバージエア(OTA)メッセージをブロードキャストする。この場合、メッセージを正常に受信する各アクセスポイントは、指定されたFFRパラメータを使用するようにそれ自体を設定し得る。
【００６６】
アクセスポイント504〜508が設定されると、アクセスポイントの各々による送信は、指定されたFFRパラメータに基づいて制限される。シンボル512、514、および516によって示されるように、通常、それぞれ、アクセスポイント504、506、および508によって、異なるFFRパラメータが使用される。
【００６７】
図6は、FFRがモバイルアクセス端末によって規定される、実装形態において採用され得る動作の例を示す。
【００６８】
ブロック602によって表されるように、アクセス端末は、そのモビリティ状態を判定する。いくつかの態様では、少なくとも1つのモビリティ状態の判定は、アクセス端末が運動中であるかどうかを判定することを含む。いくつかの態様では、少なくとも1つのモビリティ状態の判定は、アクセス端末がセル縁部に近いかどうかを判定することを含む。いくつかの態様では、少なくとも1つのモビリティ状態の判定は、アクセス端末に関連するリンク品質を判定することを含む。いくつかの態様では、少なくとも1つのモビリティ状態の判定は、アクセス端末の速度を判定することを含む。いくつかの態様では、少なくとも1つのモビリティ状態の判定は、アクセス端末の運動方向を判定することを含む。いくつかの態様では、少なくとも1つのモビリティ状態の判定は、アクセス端末のハンドオーバの頻度を判定することを含む。いくつかの態様では、少なくとも1つのモビリティ状態の判定は、少なくとも2つのアクセスポイント間でアクセス端末が「ピンポン交渉」しているかどうかを判定することを含む。
【００６９】
ブロック604によって表されるように、アクセス端末は、ブロック602において判定されたモビリティ状態に基づいてFFRを規定する。いくつかの態様では、分数周波数再利用の規定は、アクセス端末が運動しきい値を満たすか、または超えるように運動している場合、少なくとも1つのアクセスポイントに関する分数周波数再利用を起動するか、または変更することを含む。いくつかの態様では、分数周波数再利用の規定は、アクセス端末における干渉の低減をもたらす分数周波数再利用を識別することを含む。いくつかの態様では、分数周波数再利用の規定は、アクセス端末からセル縁部までの距離が距離しきい値であるか、または距離しきい値内である(たとえば、距離しきい値以下である)場合、少なくとも1つのアクセスポイントに関する分数周波数再利用を起動するか、または変更することを含む。いくつかの態様では、分数周波数再利用の規定は、アクセス端末によって測定される、少なくとも1つのアクセスポイントからの信号の信号強度が信号強度しきい値であるか、または信号強度しきい値内である(たとえば、信号強度しきい値以下である)場合、少なくとも1つのアクセスポイントに関する分数周波数再利用を起動するか、または変更することを含む。いくつかの態様では、分数周波数再利用の規定は、リンク品質が品質しきい値以下である場合、少なくとも1つのアクセスポイントに関する分数周波数再利用を起動するか、または変更することを含む。さらに、分数周波数再利用の規定は、上記の因子のうちの1つもしくは複数(または、任意の他の適切な因子)に基づく場合がある。
【００７０】
一般に、アクセス端末は、アクセス端末「によって見られる」近隣のアクセスポイント(たとえば、ブロードキャスト信号がアクセス端末によって正常に受信されるアクセスポイント)に関連する特性に基づいてFFRパラメータを規定し得る。たとえば、アクセス端末は、より少ないサブバンドおよび/またはより低い送信電力を、アクセス端末により近いアクセスポイント、またはアクセス端末においてより強い信号を有するアクセスポイントに割り振る場合がある。このように、アクセス端末は、最も強い干渉物による干渉を低減する一方で、弱い干渉物の動作にできる限り小さい影響しか及ぼさない場合がある。
【００７１】
ブロック606によって表されるように、アクセス端末は、アクセス端末のためのFFRを設定するために1つまたは複数の近隣のアクセスポイントにFFR指示を送信する。上述のように、場合によっては、アクセス端末は、そのサービス中のアクセスポイントにメッセージを送信し、近隣のアクセスポイントが使用すべきFFRパラメータをこのメッセージが指示する。代替として、アクセス端末は、近隣のアクセスポイントが使用すべきFFRパラメータをこれらのアクセスポイントに知らせるメッセージをブロードキャストし得る。
【００７２】
ブロック608によって表されるように、アクセス端末または隣接するアクセスポイントからのメッセージを受信すると、各アクセスポイントは、指定されたFFRを使用するように設定される。本明細書で論じるように、所与のアクセスポイントは、アクセス端末から直接、別のアクセスポイントを介して、またはいくつかの他のノード(たとえば、ネットワークエンティティ)を介して、そのFFRパラメータを受信し得る。
【００７３】
ブロック610によって表されるように、各アクセスポイントは、そのそれぞれのアクセス端末と通信するために指定されたFFRを採用する。このように、各セル内のモバイルアクセス端末は、本明細書で教示するように、モビリティベースのFFRを使用しない展開と比較して、より良好なサービスを受信することができる。
【００７４】
ブロック612によって表されるように、ある時点において、アクセスポイントは、アクセス端末の後続のモビリティの結果、ブロック602〜610におけるFFR設定を終了させるか、またはさもなければ適応させる場合がある。たとえば、アクセス端末は、セルサイトの近傍で運動する場合がある。そのような場合、リソースは、前と同様に割り振られ得る。別の例として、アクセス端末は、これらのセルのカバレージから抜け出す場合がある。この場合、リソースは、適用可能な場合、他のアクセス端末に割り振られ得る。
【００７５】
図7は、本明細書で教示するように、FFR関連の動作を実行するために、装置702、装置704、および装置706(たとえば、それぞれ、アクセス端末、アクセスポイント、およびネットワークエンティティに対応する)に組み込まれ得る(対応するブロックによって表される)いくつかの例示的な構成要素を示す。これらの構成要素は、様々な実装形態(たとえば、ASIC、システムオンチップ(SoC)など)における様々なタイプの装置に実装され得ることを諒解されたい。記載された構成要素は、通信システム内の他の装置に組み込むこともできる。たとえば、システム内の他の装置は、同様の機能を提供するために説明する構成要素と同様の構成要素を含み得る。また、所与の装置は、記載される構成要素のうちの1つまたは複数を含むことができる。たとえば、装置は、装置が複数のキャリア上で動作し、かつ/または様々な技術を介して通信することを可能にする複数のトランシーバ構成要素を含み得る。
【００７６】
装置702および装置704は各々、少なくとも1つの指定された無線アクセス技術を介して他のノードと通信するための(それぞれ、通信デバイス708および714(および装置704がリレーアクセスポイントである場合は通信デバイス720)によって表される)少なくとも1つのワイヤレス通信デバイスを含む。各通信デバイス708は、信号(たとえば、メッセージ、表示、情報など)を送信し符号化するための(送信機710によって表される)少なくとも1つの送信機と、信号(たとえば、メッセージ、表示、情報、パイロットなど)を受信し復号するための(受信機712によって表される)少なくとも1つの受信機とを含む。同様に、各通信デバイス714は、信号(たとえば、メッセージ、表示、情報、パイロットなど)を送信するための(送信機716によって表される)少なくとも1つの送信機と、信号(たとえば、メッセージ、表示、情報など)を受信するための(受信機718によって表される)少なくとも1つの受信機とを含む。装置704がリレーアクセスポイントである場合、各通信デバイス720は、信号(たとえば、メッセージ、表示、情報、パイロットなど)を送信するための(送信機722によって表される)少なくとも1つの送信機と、信号(たとえば、メッセージ、表示、情報など)を受信するための(受信機724によって表される)少なくとも1つの受信機とを含み得る。
【００７７】
送信機および受信機は、いくつかの実装形態では(たとえば、単一の通信デバイスの送信機回路および受信機回路として実施される)集積デバイスを含むことができるか、またはいくつかの実装形態では独立した送信機デバイスおよび独立した受信機デバイスを含むことができるか、または他の実装形態では他の方法で実施され得る。いくつかの態様では、装置704のワイヤレス通信デバイス(たとえば、複数のワイヤレス通信デバイスのうちの1つ)は、ネットワークリッスンモジュールを含む。
【００７８】
装置706(および装置704がリレーアクセスポイントでない場合は装置704)は、他のノードと通信するための(通信デバイス726および場合によっては720によって表される)少なくとも1つの通信デバイスを含む。たとえば、通信デバイス726は、ワイヤベースのまたはワイヤレスのバックホールを介して1つまたは複数のネットワークエンティティと通信するように構成されたネットワークインターフェースを含むことができる。いくつかの態様では、通信デバイス726は、ワイヤベースのまたはワイヤレスの信号通信をサポートするように構成されたトランシーバとして実装され得る。この通信は、たとえば、メッセージ、パラメータ、または他のタイプの情報を送信および受信するステップを含むことができる。したがって、図7の例では、通信デバイス726は、送信機728および受信機730を含むものとして示される。同様に、装置704がリレーアクセスポイントでない場合、通信デバイス720は、有線ベースのまたはワイヤレスのバックホールを介して1つまたは複数のネットワークエンティティと通信するように構成されたネットワークインターフェースを含み得る。通信デバイス726と同様に、通信デバイス720は、送信機722および受信機724を含むものとして示される。
【００７９】
装置702、704、および706は、本明細書で教示する通信動作と併せて使用され得る他の構成要素も含む。装置702は、たとえば、本明細書で教示するようにアクセス端末モビリティを監視しFFRを規定することに関連する機能を提供し、他の処理機能を提供するための処理システム732を含む。装置704は、たとえば、本明細書で教示するようにアクセス端末モビリティを監視しFFRを規定することに関連する機能を提供し、他の処理機能を提供するための処理システム734を含む。装置706は、たとえば、本明細書で教示するようにアクセス端末モビリティを監視しFFRを規定することに関連する機能を提供し、他の処理機能を提供するための処理システム736を含む。装置702、704、および706は、それぞれ、情報(たとえば、しきい値、パラメータ、FFR情報など)を維持するためのメモリ構成要素738、740、および742(たとえば、各々がメモリデバイスを含む)を含む。加えて、装置702、704、および706は、それぞれ、ユーザに表示(たとえば、可聴および/または視覚表示)を与えるため、および/または(たとえば、キーパッド、タッチスクリーン、マイクロフォンなどの検知デバイスをユーザが作動させると)ユーザ入力を受信するためのユーザインターフェースデバイス744、746、および748を含む。
【００８０】
便宜上、装置702は、本明細書で説明する様々な例で使用され得る構成要素を含むものとして図7に示す。実際には、図示したブロックは、様々なシナリオにおいて異なる機能を有する可能性がある。たとえば、図4の実装形態をサポートするためのブロック734の機能は、図6の実装形態をサポートするためのブロック732の機能とは異なる可能性がある。
【００８１】
図7の構成要素は、様々な方法で実装され得る。いくつかの実装形態では、図7の構成要素は、たとえば1つもしくは複数のプロセッサおよび/または(1つまたは複数のプロセッサを含み得る)1つもしくは複数のASICなどの、1つまたは複数の回路において実装され得る。ここで、各回路は、この機能を提供する回路によって使用される情報または実行可能コードを記憶するための少なくとも1つのメモリ構成要素を使用し、かつ/または組み込み得る。たとえば、ブロック708、732、738、および744によって表される機能のいくつかまたはすべては、装置702のプロセッサおよびメモリ構成要素によって(たとえば、適切なコードの実行によっておよび/またはプロセッサ構成要素の適切な構成によって)実装され得る。同様に、ブロック714、720、734、740、および746によって表される機能のいくつかまたはすべては、装置704のプロセッサおよびメモリ構成要素によって(たとえば、適切なコードの実行によっておよび/またはプロセッサ構成要素の適切な構成によって)実装され得る。また、ブロック726、736、742、および748によって表される機能のいくつかまたはすべては、装置706のプロセッサおよびメモリ構成要素によって(たとえば、適切なコードの実行によっておよび/またはプロセッサ構成要素の適切な構成によって)実装され得る。
【００８２】
上で論じられたように、いくつかの態様では、本明細書の教示は、大規模なカバレッジ(たとえば、通常はマクロセルネットワークまたはWANと呼ばれる、3Gネットワークなどの広域セルラーネットワーク)と、より小規模のカバレッジ(たとえば、通常はLANと呼ばれる、住宅ベースまたは建物ベースのネットワーク環境)とを含むネットワーク中で利用され得る。アクセス端末(AT)がそのようなネットワークを通じて移動する際、アクセス端末は、いくつかのロケーションでは、マクロカバレッジを提供するアクセスポイントによってサービスされ得るが、アクセス端末は、他のロケーションでは、より小規模のカバレッジを提供するアクセスポイントによってサービスされ得る。いくつかの態様では、より小さいカバレージノードは、(たとえば、よりロバストなユーザエクスペリエンスのために、)漸進的なキャパシティ増大、屋内カバレージ、および異なるサービスを提供するために使用され得る。
【００８３】
本明細書の説明では、比較的大きいエリアにわたるハンドオーバを提供するノード(たとえば、アクセスポイント)はマクロアクセスポイントと呼ぶことができ、比較的小さいエリア(たとえば、住宅)にわたるカバレージを提供するノードはスモールセルと呼ぶことができる。本明細書の教示は、他のタイプのカバレージエリアと関連するノードに適用可能であり得ることを諒解されたい。たとえば、ピコアクセスポイントは、マクロエリアよりも狭くフェムトセルエリアよりも大きいエリアにわたるカバレージ(たとえば、商業ビル内のカバレージ)を提供し得る。様々な適用例で、マクロアクセスポイント、スモールセル、または他のアクセスポイントタイプのノードに言及するために、他の用語が使用され得る。たとえば、マクロアクセスポイントは、アクセスノード、基地局、アクセスポイント、eノードB、マクロセルなどとして構成されるか、またはそのように呼ばれ得る。いくつかの実装形態では、ノードは、1つまたは複数のセルまたはセクタに関連付けられ得る(たとえば、そのように呼ばれるか、またはそれらに分割され得る)。マクロアクセスポイント、フェムトアクセスポイント、またはピコアクセスポイントに関連するセルまたはセクタはそれぞれ、マクロセル、フェムトセル、またはピコセルと呼ばれ得る。
【００８４】
図8は、本明細書の教示が実装され得る、何人かのユーザをサポートするように構成されたワイヤレス通信システム800を示す。システム800は、たとえばマクロセル802A〜802Gなどの複数のセル802のための通信を提供し、各セルは、対応するアクセスポイント804(たとえば、アクセスポイント804A〜804G)によってサービスされる。図8に示すように、アクセス端末806(たとえば、アクセス端末806A〜806L)は、時間とともにシステム全体にわたって様々な場所に分布し得る。各アクセス端末806は、たとえばアクセス端末806が作動中であるかどうか、およびソフトハンドオフにあるかどうかに応じて、所与の瞬間に順方向リンク(FL)および/または逆方向リンク(RL)上の1つまたは複数のアクセスポイント804と通信し得る。ワイヤレス通信システム800は、大きい地理的エリアにわたってサービスを提供し得る。たとえば、マクロセル802A〜802Gは、近傍の数ブロック、または地方環境における数マイルをカバーし得る。
【００８５】
図9は、1つまたは複数のスモールセルがネットワーク環境内に展開される、例示的な通信システム900を示す。具体的には、システム900は、比較的小さいスケールのネットワーク環境内(たとえば、1つまたは複数のユーザ住宅930内)に設置された複数のスモールセル910(たとえば、スモールセル910Aおよび910B)を含む。各スモールセル910は、DSLルータ、ケーブルモデム、ワイヤレスリンク、または他の接続手段(図示せず)を介してワイドエリアネットワーク740(たとえば、インターネット)および携帯電話事業者コアネットワーク950に結合され得る。以下で論じるように、各スモールセル910は、関連するアクセス端末920(たとえば、アクセス端末920A)、および場合によっては他の(たとえば、ハイブリッドまたは異種の)アクセス端末920(たとえば、アクセス端末920B)にサービスするように構成され得る。言い換えれば、スモールセル910へのアクセスは、所与のアクセス端末920が1組の指定された(たとえば、ホーム)スモールセル910によってサービスされ得るが、任意の指定されていないスモールセル910(たとえば、近接するスモールセル910)によってサービスされ得ないように制限することができる。
【００８６】
図10に、各々がいくつかのマクロカバレージエリア1004を含むいくつかのトラッキングエリア1002(またはルーティングエリアまたはロケーションエリア)が画定されたカバレージマップ1000の一例を示す。ここでは、トラッキングエリア1002A、1002B、および1002Cに関連するカバレージエリアが太線によって描かれ、マクロカバレージエリア1004が比較的大きい六角形によって表されている。トラッキングエリア1002は、フェムトカバレージエリア1006も含む。この例では、フェムトカバレージエリア1006(たとえば、フェムトカバレージエリア1006Bおよび1006C)の各々は、1つまたは複数のマクロカバレージエリア1004(たとえば、マクロカバレージエリア1004Aおよび1004B)内に示されている。しかしながら、フェムトカバレージエリア1006のいくつかまたはすべては、マクロカバレージエリア1004内にはない場合があることを諒解されたい。実際には、多数のフェムトカバレージエリア1006(たとえば、フェムトカバレージエリア1006Aおよび1006D)は、所与のトラッキングエリア1002またはマクロカバレージエリア1004内に画定され得る。また、1つまたは複数のピコカバレージエリア(図示せず)が、所与のトラッキングエリア1002またはマクロカバレージエリア1004内に画定され得る。
【００８７】
再び図9を参照すると、スモールセル910の所有者は、たとえば、携帯電話事業者コアネットワーク950を介して提供される3Gモバイルサービスなどの、モバイルサービスに加入することができる。加えて、アクセス端末920は、マクロ環境中と、より小規模(たとえば、住宅)のネットワーク環境中の両方で動作することが可能であり得る。言い換えれば、アクセス端末920の現在の位置に応じて、アクセス端末920は、携帯電話事業者コアネットワーク950に関連するマクロセルアクセスポイント960によって、または一組のスモールセル910(たとえば、対応するユーザの住宅930内にあるスモールセル910Aおよび910B)のうちのいずれか1つによってサービスされ得る。たとえば、加入者がその家の外部にいるときは、加入者は標準的なマクロアクセスポイント(たとえば、アクセスポイント960)によってサービスされ、かつ加入者が家にいるときは、加入者は、スモールセル(たとえば、スモールセル910A)によってサービスされる。ここで、スモールセル910は、レガシーアクセス端末920と後方互換性がある可能性がある。
【００８８】
スモールセル910は、単一の周波数上か、または代替として複数の周波数上に展開され得る。特定の構成に応じて、単一の周波数か、または複数の周波数のうちの1つもしくは複数が、マクロアクセスポイント(たとえば、アクセスポイント960)によって使用される1つまたは複数の周波数と重なることがある。
【００８９】
いくつかの態様では、アクセス端末920は、そのような接続が可能であるときはいつでも、好ましいスモールセル(たとえば、アクセス端末920のホームスモールセル)に接続するように構成することができる。たとえば、アクセス端末920Aがユーザの住宅930内にあるときはいつでも、アクセス端末920Aは、ホームスモールセル910Aまたは910Bとだけ通信するのが望ましい場合がある。
【００９０】
いくつかの態様では、アクセス端末920がマクロセルラーネットワーク950内で動作するが、(たとえば、好ましいローミングリスト内に定義された)その最も好ましいネットワーク上に存在していない場合、アクセス端末920は、より良いシステムが現在利用可能かどうかを判定し、続いてそのような好ましいシステムを取得するための利用可能なシステムの周期的走査を含み得るベターシステム再選択(BSR)プロシージャを使用して、最も好ましいネットワーク(たとえば、好ましいスモールセル910)を探索し続けることができる。アクセス端末920は、特定の帯域およびチャネルの探索を制限し得る。たとえば、1つまたは複数のフェムトチャネルは、領域内のすべてのスモールセル(またはすべての制限スモールセル)がフェムトチャネル上で動作するように定義され得る。最も好ましいシステムの探索は、周期的に繰り返すことができる。好ましいスモールセル910を発見すると、アクセス端末920は、スモールセル910を選択し、そのカバレージエリア内にあるとき、使用するためにアクセス端末920上に登録する。
【００９１】
いくつかの態様では、スモールセルへのアクセスは制限され得る。たとえば、所与のスモールセルは、いくつかのアクセス端末にいくつかのサービスを提供することしかできない。いわゆる制限された(または限定された)アクセスを有する展開では、所与のアクセス端末は、マクロセルモバイルネットワークおよび規定された組のスモールセル(たとえば、対応するユーザ住宅930内に存在するスモールセル910)のみによってサービスされ得る。いくつかの実装形態では、アクセスポイントは、少なくとも1つのノード(たとえば、アクセス端末)に、シグナリング、データアクセス、登録、問合せ、またはサービスのうちの少なくとも1つを提供しないように制限され得る。
【００９２】
いくつかの態様では、(限定加入者グループホームノードBと呼ばれることもある)制限スモールセルは、制限付きの供給された組のアクセス端末にサービスを提供するスモールセルである。この組は、必要に応じて一時的または永続的に拡張され得る。いくつかの態様では、限定加入者グループ(CSG)は、アクセス端末の共通アクセス制御リストを共有するアクセスポイント(たとえば、スモールセル)の組として定義することができる。
【００９３】
所与のスモールセルと所与のアクセス端末との間には、このように様々な関係が存在する可能性がある。たとえば、アクセス端末の観点から、オープンスモールセルは、アクセスが制限されていないスモールセルを指す可能性がある(たとえば、スモールセルは、どんなアクセス端末にもアクセスすることができる)。制限スモールセルは、何らかの方式で制限された(たとえば、アクセスおよび/または登録に関して制限された)スモールセルを指す可能性がある。ホームスモールセルは、アクセス端末がアクセスし動作し続けることを認可されるスモールセルを指す可能性がある(たとえば、1つまたは複数のアクセス端末の定義された組に永続的アクセスが提供される)。ハイブリッド(またはゲスト)スモールセルは、様々なアクセス端末に様々なレベルのサービスが提供されるスモールセルを指す可能性がある(たとえば、いくつかのアクセス端末は部分的および/または一時的なアクセスが許可されるが、他のアクセス端末はフルアクセスが許可され得る)。異種のスモールセルは、おそらく緊急事態(たとえば911呼)を除いて、アクセス端末がアクセスし、または動作し続けることを認可されないスモールセルを指す可能性がある。
【００９４】
制限スモールセルの観点から、ホームアクセス端末は、そのアクセス端末の所有者の住宅内にインストールされた制限スモールセルにアクセスするのを認可されたアクセス端末を指す可能性がある(通常、ホームアクセス端末は、そのスモールセルへの永続的アクセスを有する)。ゲストアクセス端末は、制限された(たとえば、最終期限、使用時間、バイト、接続カウント、または何らかの他の1つもしくは複数の基準に基づいて制限された)スモールセルへの一時的なアクセスを有するアクセス端末を指す可能性がある。異種のアクセス端末は、おそらく緊急事態、たとえば911呼などを除いて、制限スモールセルにアクセスする許可を有しないアクセス端末(たとえば、制限スモールセルに登録する資格証明または許可を有しないアクセス端末)を指す可能性がある。
【００９５】
便宜上、本明細書の開示は、スモールセルの文脈で様々な機能について説明する。しかしながら、ピコアクセスポイントが、より大きなカバレージエリアに対して同一または類似の機能を提供し得ることを諒解されたい。たとえば、ピコアクセスポイントは制限される可能性があり、ホームピコアクセスポイントは所与のアクセス端末に対して定義され得るなどである。
【００９６】
本明細書の教示は、複数のワイヤレスアクセス端末の通信を同時にサポートするワイヤレス多元接続通信システムにおいて採用され得る。ここで、各端末は、順方向および逆方向のリンク上の送信を介して1つまたは複数のアクセスポイントと通信し得る。順方向リンク(またはダウンリンク)は、アクセスポイントから端末までの通信リンクを指し、逆方向リンク(またはアップリンク)は、端末からアクセスポイントまでの通信リンクを指す。この通信リンクは、単入力単出力システム、多入力多出力(MIMO)システム、または何らかの他のタイプのシステムを介して確立され得る。
【００９７】
MIMOシステムは、データ送信のために複数(NT個)の送信アンテナおよび複数(NR個)の受信アンテナを採用する。NT個の送信アンテナおよびNR個の受信アンテナによって形成されるMIMOチャネルは、空間チャネルとも呼ばれるNS個の独立チャネルに分解することができ、ここで、NS≦min{NT,NR}である。NS個の独立チャネルの各々は1つの次元に対応する。複数の送信アンテナおよび受信アンテナによって生成された追加の次元数が利用される場合、MIMOシステムは改善されたパフォーマンス(たとえば、より高いスループットおよび/またはより大きい信頼性)を提供し得る。
【００９８】
MIMOシステムは、時分割複信(TDD)および周波数分割複信(FDD)をサポートし得る。TDDシステムでは、順方向リンク送信および逆方向リンク送信が同じ周波数領域上で行われるので、相反定理により逆方向リンクチャネルからの順方向リンクチャネルの推定が可能である。これにより、複数のアンテナがアクセスポイントにおいて利用可能であるとき、アクセスポイントは順方向リンク上で送信ビームフォーミング利得を抽出することが可能になる。
【００９９】
図11は、例示的なMIMOシステム1100のワイヤレスデバイス1110(たとえば、アクセスポイント)およびワイヤレスデバイス1150(たとえば、アクセス端末)を示す。デバイス1110において、いくつかのデータストリームのトラフィックデータが、データソース1112から送信(TX)データプロセッサ1114に提供される。各データストリームは、次いで、それぞれの送信アンテナを通じて送信され得る。
【０１００】
TXデータプロセッサ1114は、そのデータストリームに対して選択された特定のコーディング方式に基づいて、各データストリームのトラフィックデータをフォーマットし、コーディングし、インターリーブして、符号化されたデータを提供する。各データストリームのコーディングされたデータは、OFDM技法を使用してパイロットデータと多重化され得る。パイロットデータは、一般的には、既知の方法で処理される既知のデータパターンであり、チャネル応答を推定するために、受信機システムで使用され得る。次いで、多重化されたパイロットおよび各データストリームのコーディングされたデータは、変調シンボルを提供するためにそのデータストリームについて選択された特定の変調方式(たとえばBPSK、QSPK、M-PSK、またはM-QAM)に基づいて変調される(すなわち、シンボルマップされる)。各データストリームのデータレート、コーディング、および変調は、プロセッサ1130によって実行される命令によって判定され得る。データメモリ1132は、プロセッサ1130またはデバイス1110の他の構成要素によって使用されるプログラムコード、データ、および他の情報を記憶し得る。
【０１０１】
すべてのデータストリームの変調シンボルは、次いで、TX MIMOプロセッサ1120に提供され、TX MIMOプロセッサ1120は、さらに、(たとえば、OFDMのために)その変調シンボルを処理し得る。次いで、TX MIMOプロセッサ1120は、NT個の変調シンボルストリームをNT個のトランシーバ(XCVR)1122A〜1122Tに提供する。いくつかの態様では、TX MIMOプロセッサ1120は、データストリームのシンボルと、そのシンボルがそこから送信されているアンテナとに、ビームフォーミング重みを適用する。
【０１０２】
各トランシーバ1122は、それぞれのシンボルストリームを受信し処理して、1つまたは複数のアナログ信号を提供し、さらに、そのアナログ信号を調整(たとえば、増幅、フィルタリング、およびアップコンバート)して、MIMOチャネルを通じて送信するのに適した変調信号を提供する。次いで、トランシーバ1122A〜1122TからのNT個の変調信号が、それぞれNT個のアンテナ1124A〜1124Tから送信される。
【０１０３】
デバイス1150で、送信された変調信号は、NR個のアンテナ1152A〜1152Rによって受信され、各アンテナ1152から受信された信号は、それぞれのトランシーバ(XCVR)1154A〜1154Rに提供される。各トランシーバ1154は、それぞれの受信信号を調整(たとえば、フィルタリング、増幅、およびダウンコンバート)し、調整された信号をデジタル化してサンプルを提供し、さらにそのサンプルを処理して対応する「受信」シンボルストリームを提供する。
【０１０４】
次いで、受信(RX)データプロセッサ1160は、NT個の「検出された」シンボルストリームを提供するために、特定の受信機処理技法に基づいて、NR個のトランシーバ1154からNR個の受信されたシンボルストリームを受信し、処理する。次いで、RXデータプロセッサ1160は、データストリームのトラフィックデータを回復するために、検出された各シンボルストリームを復調し、デインターリーブし、復号する。RXデータプロセッサ1160による処理は、デバイス1110におけるTX MIMOプロセッサ1120およびTXデータプロセッサ1114によって実施される処理を補足するものである。
【０１０５】
プロセッサ1170は、どのプリコーディング行列を使用すべきかを定期的に決定する(後述する)。プロセッサ1170は、行列インデックス部分およびランク値部分を含む逆方向リンクメッセージを編成する。データメモリ1172は、プロセッサ1170またはデバイス1150の他の構成要素によって使用されるプログラムコード、データ、および他の情報を記憶し得る。
【０１０６】
逆方向リンクメッセージは、通信リンクおよび/または受信されたデータストリームに関する様々なタイプの情報を含み得る。次いで、逆方向リンクメッセージは、データソース1136からいくつかのデータストリームのトラフィックデータをも受信するTXデータプロセッサ1138によって処理され、変調器1180によって変調され、トランシーバ1154A〜1154Rによって調整され、デバイス1110に送信して戻される。
【０１０７】
デバイス1110で、デバイス1150からの変調信号は、アンテナ1124によって受信され、トランシーバ1122によって調整され、復調器(DEMOD)1140によって復調され、RXデータプロセッサ1142によって処理されて、デバイス1150によって送信される逆方向リンクメッセージを抽出する。プロセッサ1130は、次いで、ビームフォーミング重みを決定するためにどのプリコーディング行列を使用すべきかを決定し、次いで、抽出されたメッセージを処理する。
【０１０８】
図11は、通信構成要素が、本明細書で教示するFFR関連の制御動作を実行する1つまたは複数の構成要素を含み得ることも示す。たとえば、FFR制御構成要素1190は、本明細書で教示するように、別のデバイス(たとえば、デバイス1150)に信号を送信するおよび/または別のデバイスから信号を受信するために、プロセッサ1130、および/またはデバイス1110の他の構成要素と協働することができる。同様に、FFR制御構成要素1192は、別のデバイス(たとえば、デバイス1110)に信号を送信するおよび/または別のデバイスから信号を受信するように、プロセッサ1170、および/またはデバイス1150の他の構成要素と協働することができる。デバイス1110および1150の各々に対して、説明した構成要素のうちの2つ以上の機能が、単一の構成要素によって提供され得ることを諒解されたい。たとえば、単一の処理構成要素は、FFR制御構成要素1190およびプロセッサ1130の機能を提供することができ、かつ単一の処理構成要素は、FFR制御構成要素1192およびプロセッサ1170の機能を提供することができる。
【０１０９】
本明細書の教示は、様々なタイプの通信システムおよび/またはシステム構成要素に組み込むことができる。いくつかの態様では、本明細書の教示は、利用可能なシステム資源を共有することによって(たとえば、帯域幅、送信電力、コーディング、インターリービングなどのうちの1つまたは複数を指定することによって)、複数のユーザとの通信をサポートすることが可能な多元接続システムに使用され得る。たとえば、本明細書の教示は、以下の技術、すなわち、符号分割多元接続(CDMA)システム、マルチキャリアCDMA(MCCDMA)、ワイドバンドCDMA(WCDMA(登録商標))、高速パケットアクセス(HSPA、HSPA+)システム、時分割多元接続(TDMA)システム、周波数分割多元接続(FDMA)システム、シングルキャリアFDMA(SC-FDMA)システム、直交周波数分割多元接続(OFDMA)システム、または他の多重アクセス技術の任意の1つまたは複数の組合せに適用され得る。本明細書の教示を採用するワイヤレス通信システムは、IS-95、cdma2000、IS-856、WCDMA(登録商標)、TDSCDMA、および他の規格などの、1つまたは複数の規格を実装するように設計され得る。CDMAネットワークは、ユニバーサル地上無線アクセス(UTRA)、cdma2000、または何らかの他の技術などの無線技術を実装し得る。UTRAは、WCDMA(登録商標)および低チップレート(LCR)を含む。cdma2000技術は、IS-2000、IS-95、およびIS-856規格をカバーする。TDMAネットワークは、モバイル通信用グローバルシステム(GSM(登録商標))などの無線技術を実装し得る。OFDMAネットワークは、Evolved UTRA(E-UTRA)、IEEE802.11、IEEE802.16、IEEE802.20、Flash-OFDM(登録商標)などの無線技術を実装し得る。UTRA、E-UTRA、およびGSM(登録商標)は、ユニバーサル移動通信システム(UMTS:Universal Mobile Telecommunication System)の一部である。本明細書の教示は、3GPPロングタームエボリューション(LTE)システム、ウルトラモバイルブロードバンド(UMB)システム、および他のタイプのシステムに実装され得る。LTEは、E-UTRAを使用するUMTSのリリースである。UTRA、E-UTRA、GSM(登録商標)、UMTS、およびLTEは、「第3世代パートナーシッププロジェクト」(3GPP)という名称の組織のドキュメントに記載されており、cdma2000は、「第3世代パートナーシッププロジェクト2」(3GPP2)という名称の組織のドキュメントに記載されている。本開示のいくつかの態様は、3GPP用語を使用して説明され得るが、本明細書の教示は、3GPP(たとえば、Rel99、Rel5、Rel6、Rel7)技術、ならびに3GPP2(たとえば、1xRTT、1xEV-DO、Rel0、RevA、RevB)技術、および他の技術に適用され得ることを理解されたい。
【０１１０】
本明細書の教示は、様々な装置(たとえば、ノード)に組み込まれ得る(たとえば、それらの装置内に実装されるか、またはそれらの装置によって実行され得る)。いくつかの態様では、本明細書の教示に従って実装されるノード(たとえば、ワイヤレスノード)はアクセスポイントまたはアクセス端末を含み得る。
【０１１１】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を含むか、それらのいずれかとして実装されるか、またはそれらのいずれかとして知られ得る。いくつかの実装形態では、アクセス端末は、セルラー電話、コードレス電話、セッション開始プロトコル(SIP)電話、ワイヤレスローカルループ(WLL)局、携帯情報端末(PDA)、ワイヤレス接続機能を有するハンドヘルドデバイス、またはワイヤレスモデムに接続された何らかの他の好適な処理デバイスを含み得る。したがって、本明細書で教示する1つまたは複数の態様は、電話(たとえば、携帯電話またはスマートフォン)、コンピュータ(たとえば、ラップトップ)、タブレット、ポータブル通信デバイス、ポータブルコンピューティングデバイス(たとえば、携帯情報端末)、エンターテイメントデバイス(たとえば、音楽デバイス、ビデオデバイス、または衛星ラジオ)、全地球測位システムデバイス、またはワイヤレス媒体を介して通信するように構成された任意の他の好適なデバイスに組み込まれ得る。
【０１１２】
アクセスポイントは、ノードB、eノードB、無線ネットワークコントローラ(RNC)、基地局(BS)、無線基地局(RBS)、基地局コントローラ(BSC)、トランシーバ基地局(BTS)、トランシーバ機能(TF)、無線トランシーバ、無線ルータ、基本サービスセット(BSS)、拡張サービスセット(ESS)、マクロセル、マクロノード、ホームeNB(HeNB)、フェムトセル、フェムトノード、ピコノード、または何らかの他の同様の用語を含むか、それらのいずれかとして実装されるか、またはそれらのいずれかとして知られ得る。
【０１１３】
いくつかの態様では、ノード(たとえば、アクセスポイント)は、通信システムに対するアクセスノードを含み得る。たとえば、そのようなアクセスノードは、ネットワークへの有線通信リンクまたはワイヤレス通信リンクを介した、ネットワーク(たとえば、インターネットまたはセルラーネットワークのようなワイドエリアネットワーク)のための、またはネットワークへの接続を与え得る。したがって、アクセスノードは、別のノード(たとえば、ワイヤレス端末)がネットワークまたは何らかの他の機能にアクセスすることを可能にし得る。加えて、ノードのうちの1つまたは両方は携帯型であるか、またはいくつかの場合には比較的非携帯型であり得ることを諒解されたい。
【０１１４】
また、ワイヤレスノードは、非ワイヤレス方式で(たとえば、ワイヤード接続を介して)情報を送信および/または受信可能であり得ることを諒解されたい。したがって、本明細書で説明する受信機および送信機は、非ワイヤレス媒体を介して通信するために、適正な通信インターフェース構成要素(たとえば、電気的または光学的インターフェース構成要素)を含み得る。
【０１１５】
ワイヤレスノードは、任意の適切なワイヤレス通信技術に基づくか、または任意の適切なワイヤレス通信技術をサポートする1つまたは複数のワイヤレス通信リンクを介して通信し得る。たとえば、いくつかの態様では、ワイヤレスノードはネットワークに関連し得る。いくつかの態様では、ネットワークは、ローカルエリアネットワークまたはワイドエリアネットワークを備え得る。ワイヤレスデバイスは、本明細書で論じられたような様々なワイヤレス通信技術、プロトコル、または規格(たとえば、CDMA、TDMA、OFDM、OFDMA、WiMAX、WiFiなど)のうちの1つまたは複数をサポートするか、または場合によっては使用し得る。同様に、ワイヤレスノードは、様々な対応する変調または多重化方式のうちの1つまたは複数をサポートするか、または場合によっては使用し得る。したがって、ワイヤレスノードは、上記または他のワイヤレス通信技術を使用して、1つまたは複数のワイヤレス通信リンクを確立し、それを介して通信するのに適した構成要素(たとえばエアインターフェース)を含み得る。たとえば、ワイヤレスノードは、ワイヤレス媒体を介した通信を容易にする様々な構成要素(たとえば、信号発生器および信号プロセッサ)を含み得る、関連する送信機構成要素および受信機構成要素をもつワイヤレストランシーバを含み得る。
【０１１６】
(たとえば、添付の図面のうちの1つまたは複数に関して)本明細書で説明する機能は、いくつかの態様では、添付の特許請求の範囲における、同様に指定された「手段」機能に対応し得る。
【０１１７】
図12を参照すると、装置1200は、一連の相互に関連する機能モジュールとして表される。少なくとも1つのモビリティ状態を判定するためのモジュール1202は、少なくともいくつかの態様では、たとえば、本明細書で説明する処理システムに相当する可能性がある。分数周波数再利用を規定するためのモジュール1204は、少なくともいくつかの態様では、たとえば、本明細書で説明する処理システムに相当する可能性がある。指示を送出するためのモジュール1206は、少なくともいくつかの態様では、たとえば、本明細書で説明する通信デバイスに相当する可能性がある。
【０１１８】
図12のモジュールの機能は、本明細書の教示と矛盾しない様々な方法で実装され得る。いくつかの態様では、これらのモジュールの機能は、1つまたは複数の電気構成要素として実装され得る。いくつかの態様では、これらのブロックの機能は、1つまたは複数のプロセッサ構成要素を含む処理システムとして実装され得る。いくつかの態様では、これらのモジュールの機能は、たとえば、1つまたは複数の集積回路(たとえば、ASIC)の少なくとも一部分を使用して実装され得る。本明細書で説明するように、集積回路は、プロセッサ、ソフトウェア、他の関連の構成要素、またはそれらの何らかの組合せを含み得る。したがって、異なるモジュールの機能は、たとえば、集積回路の様々なサブセット、ソフトウェアモジュールのセットの様々なサブセット、またはこれらの組合せとして実装され得る。また、(たとえば、集積回路の、および/またはソフトウェアモジュールのセットの)所与のサブセットが、2つ以上のモジュールに対して機能の少なくとも一部分を提供し得ることを諒解されたい。1つの具体的な例として、装置1200は、単一のデバイス(たとえば、ASICの様々なセクションを含む構成要素1202〜1206)を含み得る。別の具体的な例として、装置1200は、いくつかのデバイス(たとえば、1つのASICを含む構成要素1202および1204、ならびに別のASICを含む構成要素1206)を含み得る。これらのモジュールの機能はまた、本明細書で教示する何らかの他の方式で実装され得る。いくつかの態様では、図12における任意の点線のブロックのうちの1つまたは複数はオプションである。
【０１１９】
加えて、図12によって表された構成要素および機能、ならびに本明細書に記載された他の構成要素および機能は、任意の適切な手段を使用して実装され得る。そのような手段はまた、少なくとも部分的に、本明細書で教示する対応する構造を使用して実装され得る。たとえば、図12の構成要素の「ためのモジュール」と併せて上記で説明した構成要素は、同様に指定された機能の「ための手段」に対応する可能性もある。したがって、いくつかの態様では、そのような手段のうちの1つまたは複数は、プロセッサ構成要素、集積回路、または本明細書で教示する他の適切な構造のうちの1つまたは複数を使用して実装され得る。いくつかの例を続ける。いくつかの態様では、判定するための手段は処理システムを含み、定義するための手段は処理システムを含み、送信するための手段は通信デバイスを含む。
【０１２０】
いくつかの態様では、装置または装置の任意の構成要素は、本明細書で教示する機能を提供するように構成され(または動作可能であり、または適合され)得る。これは、たとえば、機能を提供するように装置または構成要素を製造(たとえば、作製)することにより、機能を提供するように装置または構成要素をプログラミングすることにより、または何らかの他の適切な実装技法の使用を介して達成され得る。一例として、集積回路は、必要な機能を提供するために作製され得る。別の例として、集積回路は、必要な機能をサポートするために作製され、次いで、(たとえばプログラミングを介して)必要な機能を提供するように構成され得る。また別の例として、プロセッサ回路は、必要な機能を提供するためにコードを実行することができる。
【０１２１】
本明細書で「第1の」、「第2の」などの呼称を使用した要素へのいかなる参照も、それらの要素の量または順序を全般的に限定するものではないことを理解されたい。むしろ、これらの呼称は、2つ以上の要素の間、または要素の例の間を区別する都合のよい方法として本明細書で使用され得る。したがって、第1および第2の要素への参照は、2つの要素のみがそこで採用され得ること、または何らかの形で第1の要素が第2の要素に先行しなければならないことを意味しない。また、別段に記載されていない限り、要素のセットは1つまたは複数の要素を含み得る。さらに、本説明または請求項において使われる「A、B、またはCのうちの少なくとも1つ」または「A、B、またはCのうちの1つまたは複数」または「A、B、およびCからなる群のうちの少なくとも1つ」という形の用語は、「AまたはBまたはCまたはこれらの要素の任意の組合せ」を意味する。たとえば、この用語は、A、またはB、またはC、またはAおよびB、またはAおよびC、またはAおよびBおよびC、または2A、または2B、または2Cなどを含み得る。
【０１２２】
情報および信号が様々な異なる技術および技法のいずれかを使用して表され得ることを当業者は理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【０１２３】
さらに、本明細書で開示した態様に関して説明した様々な例示的な論理ブロック、モジュール、プロセッサ、手段、回路、およびアルゴリズムステップのいずれかは、電子ハードウェア(たとえば、ソースコーディングまたは何らかの他の技法を使用して設計できる、デジタル実装形態、アナログ実装形態、またはそれら2つの組合せ)、命令を組み込んだ様々な形態のプログラムもしくは設計コード(便宜上、本明細書では「ソフトウェア」または「ソフトウェアモジュール」と呼ぶことがある)、または両方の組合せとして実装できることを当業者は諒解されよう。ハードウェアおよびソフトウェアのこの互換性を明確に示すために、様々な例示的な構成要素、ブロック、モジュール、回路、およびステップを、概してそれらの機能に関して上記で説明してきた。そのような機能がハードウェアとして実装されるか、またはソフトウェアとして実装されるかは、具体的な適用例および全体的なシステムに課される設計制約に依存する。当業者は、説明された機能を具体的な適用例ごとに様々な方法で実装し得るが、そのような実装の決定は、本開示の範囲からの逸脱をもたらすものと解釈されるべきではない。
【０１２４】
本明細書で開示した態様に関して説明した様々な例示的な論理ブロック、モジュール、および回路は、処理システム、集積回路(「IC」)、アクセス端末、またはアクセスポイント内に実装され得るか、またはそれらによって実施され得る。処理システムは、1つまたは複数のICを使用して実装され得るか、または(たとえば、システムオンチップの一部として)IC内に実装され得る。ICは、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、電子的構成要素、光学的構成要素、機械的構成要素、または本明細書で説明する機能を実施するように設計されたそれらの任意の組合せを含み得、ICの内部に、ICの外側に、またはその両方に常駐するコードまたは命令を実行し得る。汎用プロセッサはマイクロプロセッサであり得るが、代替としてプロセッサは、任意の従来のプロセッサ、コントローラ、マイクロコントローラ、または状態機械であり得る。プロセッサはまた、コンピューティングデバイスの組合せ、たとえば、DSPおよびマイクロプロセッサの組合せ、複数のマイクロプロセッサ、DSPコアと連携する1つもしくは複数のマイクロプロセッサ、または任意の他のそのような構成として実装され得る。
【０１２５】
開示された何らかのプロセス中のステップの特定の順序または階層は例示的な手法の一例であることを理解されたい。設計の選好に基づいて、プロセス中のステップの特定の順序または階層は本開示の範囲内のまま再構成され得ることを理解されたい。添付の方法クレームは、例示的な順序で様々なステップの要素を提示しており、提示された特定の順序または階層に限定されるものではない。
【０１２６】
本明細書で開示する態様に関して説明する方法またはアルゴリズムのステップは、直接ハードウェアで実施されるか、プロセッサによって実行されるソフトウェアモジュールで実施されるか、またはその2つの組合せで実施され得る。ソフトウェアモジュール(たとえば、実行可能な命令および関連データを含む)および他のデータは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態のコンピュータ可読記憶媒体などのメモリ中に存在し得る。サンプル記憶媒体は、プロセッサが記憶媒体から情報(たとえば、コード)を読み取り、かつ記憶媒体に情報を書き込むことができるように、たとえば、コンピュータ/プロセッサ(便宜上「プロセッサ」として本明細書では呼ぶ場合がある)などのマシンに結合され得る。サンプル記憶媒体はプロセッサと一体であり得る。プロセッサおよび記憶媒体はASIC中に存在し得る。ASICはユーザ機器中に存在し得る。代替として、プロセッサおよび記憶媒体は、ユーザ機器中に個別の構成要素として存在し得る。さらに、いくつかの態様では、任意の適切なコンピュータプログラム製品は、本開示の態様のうちの1つまたは複数に関連する機能を提供するために実行可能な(たとえば、少なくとも1つのコンピュータによって実行可能な)コードを含むコンピュータ可読媒体を含むことができる。いくつかの態様では、コンピュータプログラム製品は、実装材料を含むことができる。
【０１２７】
1つまたは複数の例示的な実施形態では、説明した機能は、ハードウェア、ソフトウェア、ファームウェア、またはそれらの任意の組合せで実装され得る。ソフトウェアで実装される場合、機能は、1つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。コンピュータ可読媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスク記憶装置、磁気ディスク記憶装置もしくは他の磁気記憶デバイス、または、命令またはデータ構造の形態の所望のプログラムコードを搬送または記憶するために用いることができ、コンピュータによってアクセス可能である、任意の他の媒体を含むことができる。また、いかなる接続もコンピュータ可読媒体と適切に呼ばれる。たとえば、同軸ケーブル、光ファイバケーブル、ツイストペア、デジタル加入者回線(「DSL:digital subscriber line」)、または赤外線、無線、およびマイクロ波などのワイヤレス技術を使用して、ウェブサイト、サーバ、または他のリモートソースからソフトウェアが送信される場合、同軸ケーブル、光ファイバケーブル、ツイストペア、DSL、または赤外線、無線、およびマイクロ波などのワイヤレス技術は、媒体の定義に含まれる。本明細書で使用される場合、ディスク(disk)およびディスク(disc)は、コンパクトディスク(CD)、レーザディスク、光ディスク、デジタル多用途ディスク(DVD)、フレキシブルディスク、およびブルーレイディスクを含み、ディスク(disk)は、通常、磁気的にデータを再生するが、ディスク(disc)は、レーザで光学的にデータを再生する。したがって、いくつかの態様では、コンピュータ可読媒体は、非一時的(すなわち、有形)コンピュータ可読媒体(たとえば、コンピュータ可読記憶媒体、コンピュータ可読記憶デバイスなど)を含むことができる。そのような非一時的コンピュータ可読媒体(たとえば、コンピュータ可読記憶デバイス)は、
本明細書で説明するか、または場合によっては知られている有形の形態の媒体(たとえば、メモリデバイス、メディアディスクなど)のいずれかを含むことができる。加えて、いくつかの態様では、コンピュータ可読媒体は、一時的コンピュータ可読媒体(たとえば、信号を含む)を含み得る。上記の組合せもコンピュータ可読媒体の範囲内に含めるべきである。コンピュータ可読媒体は、任意の適切なコンピュータプログラム製品中に実装され得ることを諒解されたい。
【０１２８】
本明細書で使用する「判断すること」という用語は、多種多様なアクションを包含する。たとえば、「判断すること」は、計算すること、算出すること、処理すること、導出すること、調査すること、探索すること(たとえば、テーブル、データベース、または別のデータ構造を探索すること)、確認することなどを含み得る。また、「判断すること」は、受け取ること(たとえば、情報を受け取ること)、アクセスすること(たとえば、メモリ内のデータにアクセスすること)などを含み得る。また、「判断すること」は、解決すること、選択すること、選出すること、確立することなどを含み得る。
【０１２９】
開示された態様の前述の記載は、いかなる当業者であっても、本開示を製造または使用できるように提供される。これらの態様への様々な変更は当業者にはすぐに明らかになり、本明細書で定義された包括的な原理は本開示の範囲から逸脱することなく他の態様に適用できる。したがって、本開示は、本明細書に示す態様に限定されるものではなく、本明細書で開示する原理および新規の特徴に一致する最大の範囲を与えられるものである。
【符号の説明】
【０１３０】
100  通信システム
102  アクセス端末
104  アクセス端末
106  アクセスポイント
108  アクセスポイント
110  ネットワークエンティティ
112  シンボル
114  シンボル
116  シンボル
118  シンボル
300  FFR通信
302  アクセス端末
304  アクセスポイント
306  アクセスポイント
308  アクセスポイント
310  シンボル
312  シンボル
314  シンボル
316  シンボル
502  アクセス端末
504  アクセスポイント
506  アクセスポイント
508  アクセスポイント
510  FFR指示
512  シンボル
514  シンボル
516  シンボル
702  装置(たとえば、アクセス端末)
704  装置(たとえば、アクセスポイント)
706  装置(たとえば、ネットワークエンティティ)
708  通信デバイス(たとえば、トランシーバ)
710  送信機
712  受信機
714  通信デバイス(たとえば、トランシーバ)
716  送信機
718  受信機
720  通信デバイス(たとえば、ネットワークインターフェースまたはトランシーバ)
722  送信機
724  受信機
726  通信デバイス(たとえば、ネットワークインターフェース)
728  送信機
730  受信機
732  処理システム
734  処理システム
736  処理システム
738  メモリ構成要素
740  メモリ構成要素
742  メモリ構成要素
744  ユーザインターフェース
746  ユーザインターフェース
748  ユーザインターフェース
800  ワイヤレス通信システム
802A〜802G  マクロセル
804A〜804G  アクセスポイント
806A〜806L  アクセス端末
910A  スモールセル
910B  スモールセル
920A  アクセス端末
920B  アクセス端末
930  ユーザ住宅
940  ワイドエリアネットワーク(たとえば、インターネット)
950  携帯電話事業者コアネットワーク
960  マクロセルアクセスポイント
1000  カバレージマップ
1002A〜1002C  トラッキングエリア
1004A〜1004B  マクロカバレージエリア
1006A〜1006D  フェムトカバレージエリア
1100  MIMOシステム
1110  ワイヤレスデバイス
1112  データソース
1114  送信(TX)データプロセッサ
1120  TX MIMOプロセッサ
1122A〜1122T  トランシーバ
1124A〜1124T  アンテナ
1130  プロセッサ
1132  メモリ
1136  データソース
1138  TXデータプロセッサ
1140  復調器
1142  受信(RX)データプロセッサ
1150  ワイヤレスデバイス
1152A〜1152R  アンテナ
1154A〜1154R  トランシーバ
1160  RXデータプロセッサ
1170  プロセッサ
1172  メモリ
1180  変調器
1190  FFR制御
1192  FFR制御
1202  少なくとも1つのモビリティ状態を判定するためのモジュール
1204  分数周波数再利用を規定するためのモジュール
1206  指示を送出するためのモジュール
【図１】
2016536924.tif 000003
【図２】
2016536924.tif 000004
【図３】
2016536924.tif 000005
【図４】
2016536924.tif 000006
【図５】
2016536924.tif 000007
【図６】
2016536924.tif 000008
【図７】
2016536924.tif 000009
【図８】
2016536924.tif 000010
【図９】
2016536924.tif 000011
【図１０】
2016536924.tif 000012
【図１１】
2016536924.tif 000013
【図１２】
2016536924.tif 000014
【国際調査報告】
2016536924.tif 000015
2016536924.tif 000016
2016536924.tif 000017